(57)【要約】【課題】テンキーを設けないリモートコントロール装置であっても、ユーザが容易に視聴する番組を選択することができる映像表示装置および映像表示方法を提供する。【解決手段】表示部５０が、番組の映像を表示し、操作検出部５３が、表示部５０の画面全体に番組の映像が表示されている間にリモートコントロール装置２０に備えられたダイヤルの回転操作を検出し、操作検出部５３により回転操作が検出された場合に、制御部５５が、上記番組の映像を表示部５０に表示させつつ、それぞれ異なる番組に対応付けられた複数の番組項目を含む番組リストを表示部５０に表示させる。【選択図】図３
2012170048.tif 000002
【特許請求の範囲】
【請求項１】
番組の映像を表示する映像表示装置であって、
前記番組の映像を表示する表示部と、
リモートコントロール装置に備えられたジョグダイヤルの回転操作を検出する操作検出部と、
前記表示部の画面全体に前記番組の映像が表示されている間に前記操作検出部により前記回転操作が検出された場合に、前記番組の映像を前記表示部に表示させつつ、それぞれ異なる番組に対応付けられた複数の番組項目を含む番組リストを前記表示部に表示させる制御部を備えることを特徴とする映像表示装置。
【請求項２】
前記制御部は、前記ジョグダイヤルの回転操作により前記番組リストを用いて選択された番組の映像を前記表示部に表示させることを特徴とする請求項１に記載の映像表示装置。
【請求項３】
前記制御部は、前記番組リストにおいて、前記ジョグダイヤルの回転操作により選択された番組に対応する番組項目を、他の番組に対応する番組項目とは異なる表示形態で前記表示部に表示させることを特徴とする請求項１または２に記載の映像表示装置。
【請求項４】
前記制御部は、前記ジョグダイヤルの回転操作により１つの番組が選択された状態で、前記リモートコントロール装置の所定のボタンが押下された場合に、選択された前記番組の映像を前記表示部に表示させることを特徴とする請求項１〜３のいずれか１項に記載の映像表示装置。
【請求項５】
前記制御部は、前記ジョグダイヤルの回転操作により１つの番組が選択された状態で所定の時間が経過した場合に、選択された前記番組の映像を前記表示部に表示させることを特徴とする請求項１〜３のいずれか１項に記載の映像表示装置。
【請求項６】
前記操作検出部は、前記ジョグダイヤルの左右いずれかに対する押下操作をさらに検出し、前記制御部は、前記番組リストが前記表示部に表示されている状態で、前記ジョグダイヤルの左右いずれかが押下された場合に、該表示部に表示されている番組リストに対応する放送波の種別とは別の放送波の種別に対する番組リストを前記表示部に表示させることを特徴とする請求項１〜５のいずれか１項に記載の映像表示装置。
【請求項７】
前記制御部は、前記表示部に表示されている番組リストに対応する放送波の種別とは別の放送波の種別を示す放送波切り替え情報を該表示部に前記番組リストの左右の位置に表示させることを特徴とする請求項６に記載の映像表示装置。
【請求項８】
第１のチャンネルを選局する第１のチューナー部と、第２のチャンネルを選局する第２のチューナー部と、をさらに備え、前記表示部に前記番組リストが表示され、前記第１のチューナー部により選局された第１のチャンネルに対応する番組が前記表示部に表示されている間に、前記第２のチューナー部は、前記第２のチャンネルを選局し、前記制御部は、前記ジョグダイヤルの回転操作により前記第２のチャンネルに対応する番組が選択された場合に、前記第２のチャンネルに対応する番組の映像を前記表示部に表示させることを特徴とする請求項１〜７のいずれか１項に記載の映像表示装置。
【請求項９】
第１のチャンネルを選局する第１のチューナー部と、第２のチャンネルを選局する第２のチューナー部と、をさらに備え、前記表示部に前記番組リストが表示され、前記第１のチューナー部により選局された第１のチャンネルに対応する番組が前記表示部に表示されている間に、前記第２のチューナー部は、前記第２のチャンネルを選局し、前記制御部は、前記第２のチューナー部により選局された第２のチャンネルの番組の映像から静止画像を抽出し、前記ジョグダイヤルの回転操作により前記第２のチャンネルに対応する番組が選択された場合に、前記静止画像を前記表示部に表示させることを特徴とする請求項１〜７のいずれか１項に記載の映像表示装置。
【請求項１０】
前記操作検出部は、前記ジョグダイヤルの回転速度を検出し、前記制御部は、前記操作検出部により検出された前記回転速度に応じて、前記表示部に表示させる番組項目の数を変更することを特徴とする請求項１〜９のいずれか１項に記載の映像表示装置。
【請求項１１】
前記操作検出部は、前記リモートコントロール装置を操作する者の操作能力に関する情報に応じて前記ジョグダイヤルの回転量の出力値を調整し、該調整後の出力値に基づいて前記回転操作を検出することを特徴とする請求項１〜１０のいずれか１項に記載の映像表示装置。
【請求項１２】
前記操作検出部は、前記リモートコントロール装置の形態および／または大きさに応じて前記ジョグダイヤルの回転量の出力値を調整し、該調整後の出力値に基づいて前記回転操作を検出することを特徴とする請求項１〜１０のいずれか１項に記載の映像表示装置。
【請求項１３】
前記番組リストに含まれる番組項目は、前記映像を受信可能な番組のうちの一部の番組の番組項目であり、前記制御部は、該一部の番組と、該一部の番組以外の番組がそれぞれ異なる位置に対応付けられた番組探索図形を前記表示部に表示させ、該番組探索図形を用いて番組が探索された場合に、探索された該番組を含む番組リストを前記表示部に表示させることを特徴とする請求項１〜１２のいずれか１項に記載の映像表示装置。
【請求項１４】
前記制御部は、前記一部の番組と、該一部の番組以外の番組の総数が所定数以上である場合に、前記番組探索図形を前記表示部に表示させることを特徴とする請求項１３に記載の映像表示装置。
【請求項１５】
前記制御部は、前記操作検出部により、前記回転操作が所定の時間以上行われたことが検出された場合に、前記番組探索図形を前記表示部に表示させることを特徴とする請求項１３または１４に記載の映像表示装置。
【請求項１６】
前記制御部は、前記番組の映像および前記番組リストとともに、前記番組探索図形を前記表示部に表示させることを特徴とする請求項１３〜１５のいずれか１項に記載の映像表示装置。
【請求項１７】
番組の映像を表示する映像表示方法であって、
リモートコントロール装置に備えられたジョグダイヤルの回転操作を検出する操作検出ステップと、
前記操作検出ステップにおいて前記番組の映像を表示する表示部の画面全体に前記番組の映像が表示されている間に前記回転操作が検出された場合に、前記番組の映像を前記表示部に表示させつつ、それぞれ異なる番組に対応付けられた複数の番組項目を含む番組リストを前記表示部に表示させる番組リスト表示ステップと、
を含むことを特徴とする映像表示方法。
【発明の詳細な説明】
【技術分野】
【０００１】
本発明は、番組の映像を表示する映像表示装置および映像表示方法に関する。
【背景技術】
【０００２】
近年、テレビ受像機の機能が大幅に向上し、それに伴いテレビ受像機の操作も複雑化している。そのため、テレビ受像機を遠隔操作するリモートコントロール装置の操作性を向上させる技術の開発が望まれている。
【０００３】
例えば、特許文献１には、リモコンに設けられたタッチパネルの上半分の領域を指で触れながら、時計回りまたは反時計回りにスライドさせる操作を行うと、この操作に対応してチャンネルを選択するための制御信号が赤外線により送信される技術が開示されている。
【０００４】
また、特許文献２には、回転可能なリング状のリモコン時間リングをリモートコントロール装置が備えており、そのリモコン時間リングの回転に対応して、電子番組表のフォーカスエリアを異なる時間帯に移動させる技術が開示されている。
【０００５】
さらに、特許文献３には、回転式操作子を有するリモートコントローラによって、チャンネル切り替え等の選択対象の切り替え操作を行う場合に、回転式操作子への回転操作対象部位が右側半面か左側半面かによらず、回転操作方向と選択対象の切り替わりの昇順・降順の対応関係を一致させる技術が開示されている。
【０００６】
また、特許文献４には、リモコン装置の側面にスライド移動および回動可能なダイヤルを設け、このダイヤルが一方のスライド位置に配置された状態で回転することにより放送種別の選択を可能とし、他方のスライド位置に配置された状態で回転することによりチャンネル番号の選択を可能とする技術が開示されている。
【先行技術文献】
【特許文献】
【０００７】
【特許文献１】特開２００６−２２２５０４号公報
【特許文献２】特開２００７−４９５５２号公報
【特許文献３】特開２００８−１０９２９８号公報
【特許文献４】特開２００８−２２８１７５号公報
【発明の概要】
【発明が解決しようとする課題】
【０００８】
しかしながら、上述した特許文献１〜４の従来技術は、ダイヤルを用いてチャンネルの選択を行うものであるが、テレビ受像機の画面全体に番組の映像が表示されている状態から直接番組リストを表示させ、ユーザに番組を選局させるものではない。
【０００９】
特に、近年、リモートコントロール装置の小型化が求められている。そのため、チャンネルを選択するためのテンキーを設けないリモートコントロール装置が考えられている。このような場合に、テンキーを用いずに１回の操作、あるいは、それに近い操作（現在のテンキー付きのリモートコントロール装置と同様の回数の操作）で任意の番組を選択することができる方法が望まれていた。
【００１０】
本発明は、上記課題に鑑み、テンキーを設けないリモートコントロール装置であっても、ユーザが容易に視聴する番組を選択することができる映像表示装置および映像表示方法を提供することを目的とする。
【課題を解決するための手段】
【００１１】
上記課題を解決する為に、本発明の第１の技術手段は、番組の映像を表示する映像表示装置であって、前記番組の映像を表示する表示部と、リモートコントロール装置に備えられたジョグダイヤルの回転操作を検出する操作検出部と、前記表示部の画面全体に前記番組の映像が表示されている間に前記操作検出部により前記回転操作が検出された場合に、前記番組の映像を前記表示部に表示させつつ、それぞれ異なる番組に対応付けられた複数の番組項目を含む番組リストを前記表示部に表示させる制御部を備えることを特徴とする。ここで、番組リストとともに番組の映像を表示する際、重複しないように番組の映像を縮小するようにしてもよい。そうすると、番組の映像が隠れることなく番組リストを表示できるので好適である。また、番組リストとともに番組の映像を表示する際、番組の映像を縮小することなく、番組リストを番組の映像上に重畳させてもよい。そうすると、番組の映像を縮小することによる見えにくさを防ぐことができ、視力の悪いユーザにとって好適である。
【００１２】
本発明の第２の技術手段は、第１の技術手段において、前記制御部は、前記ジョグダイヤルの回転操作により前記番組リストを用いて選択された番組の映像を前記表示部に表示させることを特徴とする。
【００１３】
本発明の第３の技術手段は、第１または第２の技術手段において、前記制御部は、前記番組リストにおいて、前記ジョグダイヤルの回転操作により選択された番組に対応する番組項目を、他の番組に対応する番組項目とは異なる表示形態で前記表示部に表示させることを特徴とする。
【００１４】
本発明の第４の技術手段は、第１〜第３のいずれか１つの技術手段において、前記制御部は、前記ジョグダイヤルの回転操作により１つの番組が選択された状態で、前記リモートコントロール装置の所定のボタンが押下された場合に、選択された前記番組の映像を前記表示部に表示させることを特徴とする。所定のボタンとは、たとえば、選択内容を決定する決定ボタンである。
【００１５】
本発明の第５の技術手段は、第１〜第３のいずれか１つの技術手段において、前記制御部は、前記ジョグダイヤルの回転操作により１つの番組が選択された状態で所定の時間が経過した場合に、選択された前記番組の映像を前記表示部に表示させることを特徴とする。
【００１６】
本発明の第６の技術手段は、第１〜第５のいずれか１つの技術手段において、前記操作検出部は、前記ジョグダイヤルの左右いずれかに対する押下操作をさらに検出し、前記制御部は、前記番組リストが前記表示部に表示されている状態で、前記ジョグダイヤルの左右いずれかが押下された場合に、該表示部に表示されている番組リストに対応する放送波の種別とは別の放送波の種別に対する番組リストを前記表示部に表示させることを特徴とする。
【００１７】
本発明の第７の技術手段は、第６の技術手段において、前記制御部は、前記表示部に表示されている番組リストに対応する放送波の種別とは別の放送波の種別を示す放送波切り替え情報を該表示部に前記番組リストの左右の位置に表示させることを特徴とする。
【００１８】
本発明の第８の技術手段は、第１〜第７のいずれか１つの技術手段において、第１のチャンネルを選局する第１のチューナー部と、第２のチャンネルを選局する第２のチューナー部と、をさらに備え、前記表示部に前記番組リストが表示され、前記第１のチューナー部により選局された第１のチャンネルに対応する番組が前記表示部に表示されている間に、前記第２のチューナー部は、前記第２のチャンネルを選局し、前記制御部は、前記ジョグダイヤルの回転操作により前記第２のチャンネルに対応する番組が選択された場合に、前記第２のチャンネルに対応する番組の映像を前記表示部に表示させることを特徴とする。
【００１９】
本発明の第９の技術手段は、第１〜第７のいずれか１つの技術手段において、第１のチャンネルを選局する第１のチューナー部と、第２のチャンネルを選局する第２のチューナー部と、をさらに備え、前記表示部に前記番組リストが表示され、前記第１のチューナー部により選局された第１のチャンネルに対応する番組が前記表示部に表示されている間に、前記第２のチューナー部は、前記第２のチャンネルを選局し、前記制御部は、前記第２のチューナー部により選局された第２のチャンネルの番組の映像から静止画像を抽出し、前記ジョグダイヤルの回転操作により前記第２のチャンネルに対応する番組が選択された場合に、前記静止画像を前記表示部に表示させることを特徴とする。
【００２０】
本発明の第１０の技術手段は、第１〜第９のいずれか１つの技術手段において、前記操作検出部は、前記ジョグダイヤルの回転速度を検出し、前記制御部は、前記操作検出部により検出された前記回転速度に応じて、前記表示部に表示させる番組項目の数を変更することを特徴とする。
【００２１】
本発明の第１１の技術手段は、第１〜第１０のいずれか１つの技術手段において、前記操作検出部は、前記リモートコントロール装置を操作する者の操作能力に関する情報に応じて前記ジョグダイヤルの回転量の出力値を調整し、該調整後の出力値に基づいて前記回転操作を検出することを特徴とする。
【００２２】
本発明の第１２の技術手段は、第１〜第１０のいずれか１つの技術手段において、前記操作検出部は、前記リモートコントロール装置の形態および／または大きさに応じて前記ジョグダイヤルの回転量の出力値を調整し、該調整後の出力値に基づいて前記回転操作を検出することを特徴とする。
【００２３】
本発明の第１３の技術手段は、第１〜第１２のいずれか１つの技術手段において、前記番組リストに含まれる番組項目は、前記映像を受信可能な番組のうちの一部の番組の番組項目であり、前記制御部は、該一部の番組と、該一部の番組以外の番組がそれぞれ異なる位置に対応付けられた番組探索図形を前記表示部に表示させ、該番組探索図形を用いて番組が探索された場合に、探索された該番組を含む番組リストを前記表示部に表示させることを特徴とする。
【００２４】
本発明の第１４の技術手段は、第１３の技術手段において、前記制御部は、前記一部の番組と、該一部の番組以外の番組の総数が所定数以上である場合に、前記番組探索図形を前記表示部に表示させることを特徴とする。
【００２５】
本発明の第１５の技術手段は、第１３または第１４の技術手段において、前記制御部は、前記操作検出部により、前記回転操作が所定の時間以上行われたことが検出された場合に、前記番組探索図形を前記表示部に表示させることを特徴とする。
【００２６】
本発明の第１６の技術手段は、第１３〜第１５のいずれか１つの技術手段において、前記制御部は、前記番組の映像および前記番組リストとともに、前記番組探索図形を前記表示部に表示させることを特徴とする。
【００２７】
本発明の第１７の技術手段は、番組の映像を表示する映像表示方法であって、リモートコントロール装置に備えられたジョグダイヤルの回転操作を検出する操作検出ステップと、前記操作検出ステップにおいて前記番組の映像を表示する表示部の画面全体に前記番組の映像が表示されている間に前記回転操作が検出された場合に、前記番組の映像を前記表示部に表示させつつ、それぞれ異なる番組に対応付けられた複数の番組項目を含む番組リストを前記表示部に表示させる番組リスト表示ステップと、を含むことを特徴とする。
【発明の効果】
【００２８】
本発明によれば、番組の映像を表示する表示部の画面全体に番組の映像が表示されている間に、リモートコントロール装置に備えられたジョグダイヤルの回転操作が検出された場合に、上記番組の映像を表示部に表示しつつ、それぞれ異なる番組に対応付けられた複数の番組項目を含む番組リストを表示部に表示することとしたので、テンキーを設けないリモートコントロール装置であっても、一回の操作で番組の選択画面を表示することができ、ユーザの利便性を向上させることができる。また、引き続き同様の操作を行うことによって、ユーザが番組を選択することができるので、ユーザの利便性をさらに向上させることができる。
【図面の簡単な説明】
【００２９】
【図１】本発明の実施形態に係る映像表示処理の概念を説明する図である。
【図２】本実施形態に係る映像表示装置と、映像表示装置に付属するリモートコントロール装置の一例を示す図である。
【図３】本実施形態に係る映像表示装置の構成の一例を示す図である。
【図４】リモートコントロール装置の一例を示す図である。
【図５】番組リストの一例について説明する図である。
【図６】各番組を示す番組項目の一例について説明する図である。
【図７】放送波種別の切り替えについて説明する図である。
【図８】放送波種別の切り替えについて説明する図である。
【図９】放送波切り替え情報の表示を行わない場合の放送波種別の切り替えについて説明する図である。
【図１０】本実施形態に係る映像表示処理の処理手順を示すフローチャートである。
【図１１】番組探索図形の一例について説明する図である。
【図１２】番組表示欄と探索番組表示欄の表示の変化の一例を示す図である。
【図１３】番組探索図形を番組選択画面の空き領域に表示する一例を示す図である。
【図１４】番組探索図形を番組選択画面に半透明で表示する一例を示す図である。
【図１５】探索番組表示欄の表示の別の一例を示す図である。
【図１６】番組探索図形を用いた映像表示処理の処理手順の一例を示すフローチャートである。
【発明を実施するための形態】
【００３０】
以下、本発明の実施形態について図面を参照して詳細に説明する。図１は、本発明の実施形態に係る映像表示処理の概念を説明する図である。図１に示すように、映像表示装置の画面全体に番組映像１０が表示されている間に、リモートコントロール装置２０に設けられたジョグダイヤル２１をユーザが回転させると、番組選択画面１１が表示される。この番組選択画面１１には、番組映像１０が縮小表示され、番組映像１０の右側には番組リスト１２が表示される。この番組リスト１２を用いて、ジョグダイヤル２１の回転操作によりユーザが番組を選択すると、選択された番組の映像が映像表示装置の画面全体に表示される。
【００３１】
つぎに、本実施形態に係る映像表示装置４０、および、リモートコントロール装置２０の構成について説明する。図２は、本実施形態に係る映像表示装置４０と、映像表示装置４０に付属するリモートコントロール装置２０の一例を示す図である。映像表示装置４０は、ユーザがリモートコントロール装置２０を操作した場合に、どのような操作がなされたかを示すリモートコントロール信号をリモートコントロール装置２０から受信し、そのリモートコントロール信号に応じて映像表示に係る種々の処理を実行する。
【００３２】
図３は、本実施形態に係る映像表示装置４０の構成の一例を示す図である。図３に示すように、この映像表示装置４０には、地上デジタル放送用アンテナ６０、ＢＳ／ＣＳ放送用アンテナ７０が接続される。また、この映像表示装置４０には、図２に示したリモートコントロール装置２０が付属している。地上デジタル放送用アンテナ６０は、地上デジタル放送を受信するアンテナである。ＢＳ／ＣＳ放送用アンテナ７０は、ＢＳ放送、および、ＣＳ放送を受信するアンテナである。
【００３３】
映像表示装置４０は、ネットワークインターフェース部４１、地上デジタル放送用チューナー部４２ａ、４２ｂ、ＢＳ放送用チューナー部４３ａ、４３ｂ、ＣＳ放送用チューナー部４４ａ、４４ｂ、ＩＰＴＶ放送用チューナー部４５ａ、４５ｂ、セレクタ部４６、デコード部４７、映像処理部４８、音声処理部４９、表示部５０、スピーカー５１、リモートコントロール信号受信部５２、操作検出部５３、記憶部５４、制御部５５を備える。映像表示装置４０は、地上デジタル放送の番組、ＢＳ放送の番組、ＣＳ放送の番組、ＩＰＴＶ放送の番組を、ユーザがそれぞれ２つずつ同時に視聴できるように、２つの地上デジタル放送用チューナー部４２ａ、４２ｂ、２つのＢＳ放送用チューナー部４３ａ、４３ｂ、２つのＣＳ放送用チューナー部４４ａ、４４ｂ、２つのＩＰＴＶ放送用チューナー部４５ａ、４５ｂを備える。
【００３４】
なお、これに限定されず、映像表示装置４０は、地上デジタル放送用チューナー部、ＢＳ放送用チューナー部、ＣＳ放送用チューナー部、ＩＰＴＶ放送用チューナー部を１つずつ備えることとしてもよい。
【００３５】
また、映像表示装置４０は、地上デジタル放送用チューナー部４２ａ、４２ｂ、ＢＳ放送用チューナー部４３ａ、４３ｂ、ＣＳ放送用チューナー部４４ａ、４４ｂ、ＩＰＴＶ放送用チューナー部４５ａ、４５ｂを備えることとしたが、地上デジタル放送用チューナー部４２ａ、４２ｂ、ＢＳ放送用チューナー部４３ａ、４３ｂ、ＣＳ放送用チューナー部４４ａ、４４ｂ、ＩＰＴＶ放送用チューナー部４５ａ、４５ｂを備えるチューナー装置を、映像表示装置４０の外部に設けることとしてもよい。この場合、映像表示装置４０は、チューナー装置と例えばＷｉ−Ｆｉ（登録商標）接続などにより接続し、データのやり取りをおこなうが、Ｗｉ−Ｆｉ接続が切断されている場合は番組の視聴ができないため、番組リスト１２の表示を行わないこととしてもよい。
【００３６】
ネットワークインターフェース部４１は、ネットワークを介して、ＩＰＴＶ放送を配信するサーバ装置との間でデータの送受信を行うインターフェース部である。地上デジタル放送用チューナー部４２ａ、４２ｂは、地上デジタル放送用アンテナ６０が受信した地上デジタル放送の中から、ユーザが視聴する番組のチャンネルを選局するチューナー部である。ＢＳ放送用チューナー部４３ａ、４３ｂは、ＢＳ／ＣＳ放送用アンテナ７０が受信したＢＳ放送の中から、ユーザが視聴する番組のチャンネルを選局するチューナー部である。ＣＳ放送用チューナー部４４ａ、４４ｂは、ＢＳ／ＣＳ放送用アンテナ７０が受信したＣＳ放送の中から、ユーザが視聴する番組のチャンネルを選局するチューナー部である。ＩＰＴＶ放送用チューナー部４５ａ、４５ｂは、ＩＰＴＶ放送を配信するサーバ装置により映像データが送信される番組の中から、ユーザが視聴する番組のチャンネルを選局するチューナー部である。
【００３７】
セレクタ部４６は、地上デジタル放送用チューナー部４２ａ、４２ｂ、ＢＳ放送用チューナー部４３ａ、４３ｂ、ＣＳ放送用チューナー部４４ａ、４４ｂ、ＩＰＴＶ放送用チューナー部４５ａ、４５ｂによりそれぞれ出力される地上デジタル放送信号、ＢＳ放送信号、ＣＳ放送信号、ＩＰＴＶ放送信号の中から、ユーザが視聴する番組の放送信号を選択し、選択された放送信号をデコード部４７に出力する処理部である。デコード部４７は、セレクタ部４６から受信した放送信号をデコードし、デコードの結果得られた映像信号を映像処理部４８に出力し、また、デコードの結果得られた音声信号を音声処理部４９に出力する処理部である。
【００３８】
映像処理部４８は、デコード部４７から受信した映像信号を加工する信号処理を行う処理部である。例えば、映像処理部４８は、画面の縮小、拡大、映像の色や輝度等の画質の調整、メニューやチャンネル表示などのＯＳＤ（On Screen Display）画面の表示、ＯＳＤ画面と映像との重畳などの処理を行う。また、映像処理部４８は、図１に示したリモートコントロール装置２０のジョグダイヤル２１をユーザが回転させた場合に、図１に示した番組映像１０を縮小するとともに、番組映像１０の右側に番組リスト１２が配置されるように、映像信号に対して信号処理を行う。音声処理部４９は、デコード部４７から受信した音声信号を加工する信号処理を行う処理部である。例えば、音声処理部４９は、デコード部４７から受信した音声信号の周波数特性を変更して、音声信号の高音域や低音域を強調する処理を行う。
【００３９】
表示部５０は、液晶ディスプレイなどの表示デバイスであり、映像処理部４８から映像信号を受信し、受信した映像信号に応じた映像を液晶ディスプレイに表示する。スピーカー５１は、音声を出力するスピーカーである。リモートコントロール信号受信部５２は、ユーザがリモートコントロール装置２０を操作した場合に、どのような操作がなされたかを示すリモートコントロール信号をリモートコントロール装置２０から受信する処理部である。例えば、リモートコントロール信号受信部５２は、リモートコントロール装置２０のジョグダイヤル２１の回転操作がなされたことを示す信号、ジョグダイヤル２１の上側、下側、左側、あるいは、右側が押下されたことを示す信号、決定ボタン２２、戻るボタン２３、あるいは、終了ボタン２４が押下されたことを示す信号などを受信する。リモートコントロール信号は、例えば、赤外線を用いて送信される。
【００４０】
操作検出部５３は、リモートコントロール信号受信部５２が受信したリモートコントロール信号を解析し、ユーザがリモートコントロール装置２０に対して行った操作を検出する処理部である。例えば、操作検出部５３は、ユーザがリモートコントロール装置２０のジョグダイヤル２１を回転する操作、ジョグダイヤル２１の上側、下側、左側、あるいは、右側を押下する操作、決定ボタン２２、戻るボタン２３、あるいは、終了ボタン２４を押下する操作などを検出する。
【００４１】
記憶部５４は、メモリなどの記憶デバイスである。この記憶部５４は、制御部５５が映像表示装置４０の制御を行う場合に用いるファームウェアや、その制御に必要な種々のデータなどを記憶する。制御部５５は、映像表示装置４０を全体制御する処理部である。制御部５５は、例えば、ＣＰＵ（Central Processing Unit）などのプロセッサにより構成される。制御部５５は、番組リスト表示制御部５５ａ、番組切り替え制御部５５ｂ、放送切り替え制御部５５ｃを備える。
【００４２】
番組リスト表示制御部５５ａは、表示部５０の画面全体に番組映像１０が表示されている間に、ユーザによりなされたリモートコントロール装置２０のジョグダイヤル２１の回転操作を操作検出部５３が検出した場合に、映像処理部４８を制御して、各番組項目１３を含む番組リスト１２を表示部５０に表示させる制御処理を行う処理部である。
【００４３】
番組切り替え制御部５５ｂは、番組リスト１２を用いてジョグダイヤル２１の回転操作、あるいは、ジョグダイヤル２１の上側、あるいは、下側の押下操作などによりユーザが番組を選択した場合に、番組の切り替え制御を行う処理部である。具体的には、番組切り替え制御部５５ｂは、地上デジタル放送用チューナー部４２ａ、４２ｂ、ＢＳ放送用チューナー部４３ａ、４３ｂ、ＣＳ放送用チューナー部４４ａ、４４ｂ、ＩＰＴＶ放送用チューナー部４５ａ、４５ｂを制御して、それ以前に表示部５０に表示されていた番組の映像をユーザにより選択された番組の映像に切り替え、さらに、スピーカー５１から出力されていた番組の音声をユーザにより選択された番組の音声に切り替える処理を行う。
【００４４】
放送切り替え制御部５５ｃは、ジョグダイヤル２１の左側、あるいは、右側の押下操作などによりユーザが視聴する放送を選択した場合に、放送の切り替え制御を行う処理部である。具体的には、放送切り替え制御部５５ｃは、セレクタ部４６を制御して、それ以前に選択していた地上デジタル放送、ＢＳ放送、ＣＳ放送、あるいは、ＩＰＴＶ放送を、ユーザにより選択された地上デジタル放送、ＢＳ放送、ＣＳ放送、あるいは、ＩＰＴＶ放送に切り替える処理を行う。
【００４５】
図４は、リモートコントロール装置２０の一例を示す図である。図４に示すように、リモートコントロール装置２０は、ジョグダイヤル２１、決定ボタン２２、戻るボタン２３、終了ボタン２４、電源オンオフボタン２５、音量アップダウンボタン２６、選局アップダウンボタン２７、データ放送表示用ボタン２８、データ放送用カラーキー２９ａ〜２９ｄ、数字ボタン３０、アプリケーションボタン３１、ツールボタン３２、ホームボタン３３、番組表ボタン３４等を備える。
【００４６】
ジョグダイヤル２１は、ユーザによりなされた回転操作の回転量あるいは回転角度を検出することによって、ユーザの操作量を検出するジョグダイヤルである。また、ジョグダイヤル２１は、回転の中心部から見て、上下左右のいずれかの部分が押下された場合に、上下左右の部分が押下されたことを検出する機能も有する。このジョグダイヤル２１は、回転量あるいは回転角度を介して、アナログ的な量を入力するために用いられる。また、ジョグダイヤル２１は、上下左右の部分の押下により、項目や設定等を１つずつ選択するような動作にも用いられる。決定ボタン２２は、主に、選択項目の決定を行うためのボタンである。戻るボタン２３は、主に、画面表示を１つ前の画面表示に戻すためのボタンである。終了ボタン２４は、主に、項目の選択処理を終了させるためのボタンである。
【００４７】
また、電源オンオフボタン２５は、映像表示装置４０の電源のオンオフを行うためのボタンである。音量アップダウンボタン２６は、スピーカー５１から出力される音声の音量を調整するためのボタンである。選局アップダウンボタン２７は、放送波のチャンネルを１つずつ切り替えるためのボタンである。データ放送表示用ボタン２８は、データ放送を画面に表示するためのボタンである。データ放送用カラーキー２９ａ〜２９ｄは、データ放送の表示時に各データ放送用カラーキー２９ａ〜２９ｄに割り当てられた項目を選択するために用いられるボタンである。
【００４８】
さらに、数字ボタン３０は、数字を入力するためのテンキーを画面に表示するためのボタンである。アプリケーションボタン３１は、アプリケーションボタン３１に割り当てられたアプリケーションを起動するためのボタンである。ツールボタン３２は、ユーザが利用可能な映像表示装置４０の機能をユーザに選択させる画面を表示させるためのボタンである。ホームボタン３３は、ホーム画面に画面表示を切り替えるためのボタンである。番組表ボタン３４は、番組表を表示するためのボタンである。
【００４９】
このリモートコントロール装置２０は、視聴するチャンネルに割り当てられた番号を直接入力するための０〜９の各数字キーや、放送の種別（地上デジタル放送、ＢＳ（Broadcasting Satellite）放送、ＣＳ（Communications Satellite）放送、ＩＰＴＶ（Internet Protocol Television）放送）を切り替えるためだけに用いられる複数の放送切り替え専用キーを設けず、後述するように、ジョグダイヤル２１の操作のみでチャンネルや放送の切り替えが容易に実行できるように構成されている。
【００５０】
ここで、選局動作が行われる場合におけるジョグダイヤル２１、決定ボタン２２、戻るボタン２３、終了ボタン２４の機能について説明する。ジョグダイヤル２１は、番組映像１０が表示部５０に画面全体に表示されている間にユーザにより回転操作がなされた場合に、表示部５０に番組リスト１２を表示させるとともに、番組リスト１２に含まれる番組の項目を上下に移動させることができる。また、ジョグダイヤル２１の左側、あるいは、右側が押下されると、放送の種別が切り替えられる。また、ジョグダイヤル２１の上側、下側が押下されると、ジョグダイヤル２１の回転操作がなされた場合と同様に、番組リスト１２に含まれる番組の項目が上下に移動する。これについては、後に図５を用いて詳しく説明する。
【００５１】
ジョグダイヤル２１の回転操作がなされ、あるいは、ジョグダイヤル２１の上側、下側が押下されることにより番組が選択された状態で決定ボタン２２が押下されると、選択された番組の番組映像１０が表示部５０の画面全体に表示される。戻るボタン２３、終了ボタン２４が押下されると、番組リスト１２の表示が終了し、番組リスト１２が表示される前に選局されていた番組の番組映像１０が表示部５０の画面全体に再度表示される。
【００５２】
図５は、番組リスト１２の一例について説明する図である。図６は、各番組を示す番組項目１３の一例について説明する図である。図５に示すように、番組リスト１２には、番組項目１３、矢印マーク１４、放送波切り替え情報１５が含まれる。番組項目１３は、選局対象となる各番組を示す項目である。矢印マーク１４は、ジョグダイヤル２１の左側、あるいは、右側を押下することにより切り替えることが可能な放送波があることを示す情報である。放送波切り替え情報１５は、切り替え対象となる各放送波の種別を示す情報である。
【００５３】
そして、図６に示すように、番組項目１３には、チャンネル番号８０、放送局のロゴマーク８１、放送局名８２、３桁チャンネル番号８３、番組名８４が表示される。ここで、番組名８４が長く、番組項目１３内に表示しきれない場合は、番組名８４を横方向にスクロールするテロップ表示がなされる。図６には、番組名８４が「チャレンジ！ジョブ  萬川久夫といっしょにコンビニ経営」である場合に、番組名８４が番組項目１３内に表示しきれないため、番組名８４が右から左にスクロールする例が示されている。
【００５４】
図１で説明したように、表示部５０の画面全体に番組映像１０が表示されている間にリモートコントロール装置２０に設けられたジョグダイヤル２１をユーザが回転させると、図５に示すような番組リスト１２が表示される。なお、ジョグダイヤル２１をユーザが回転させたと認識されるためには、ジョグダイヤル２１が所定の角度以上回転する必要がある。
【００５５】
ここで、所定の角度は、ジョグダイヤル２１の回転角度をリモートコントロール装置２０や操作検出部５３が検出可能な最小の角度に設定されてもよい。この場合、ユーザがジョグダイヤル２１の回転操作を開始すると同時に番組リスト１２が表示されることとなるので、レスポンスが早くなり、操作感が良くなるからである。また、所定の角度は、ジョグダイヤル２１をユーザが意図的に回転させたと認められる３０度、４５度、９０度程度の角度に設定されてもよい。このような角度に上記所定の角度を設定することにより、ジョグダイヤル２１にユーザが誤って触れた場合の誤動作を防止しつつ、ある程度のレスポンスの良さを保つことができる。さらに、所定の角度は、ユーザがジョグダイヤル２１を十分回転させたと認められる反回転（１８０度）程度の角度であってもよい。これにより、子供や老人のように細かな操作が不得意なユーザが操作する場合でも、安定した操作が可能となり、好適である。また、表示部５０が、上記所定の角度の設定を行うメニュー画面等を表示し、番組リスト表示制御部５５ａが、リモートコントロール装置２０の数字ボタン３０を押下して表示されたテンキーを利用するなどしてユーザが入力した角度の情報を受け付け、その角度を上記所定の角度として設定することとしてもよい。これにより、ユーザの好みや設定の変更に柔軟に対応することができるようになる。
【００５６】
なお、図５に示すように、番組リスト１２が初めに表示される場合、番組リスト１２の中央には、ジョグダイヤル２１をユーザが回転させた際に表示されていた番組映像１０に対する番組項目１３（図５の例では、地上デジタル放送の「５」チャンネルの番組に対する番組項目）が、他の番組項目よりも大きく、また、他の番組項目の色と異なる色で表示される。
【００５７】
そして、ジョグダイヤル２１をユーザがさらに回転させると、すべての番組項目１３の大きさが等しく表示され、ジョグダイヤル２１の回転に合わせて、各番組項目１３が上下に移動する。具体的には、ジョグダイヤル２１をユーザが時計回りに回転させた結果、３番組分の移動が行われる場合、中央に表示されていた「５」チャンネルの番組項目１３は、上方向に３つ分移動し、中央には、「５」チャンネルの番組項目１３よりも３つ下に表示されていた「２」チャンネルの番組項目１３が表示される。そして、中央よりも下には、「４」、「６」、「８」チャンネルの番組項目１３が表示される。図５には、地上デジタル放送の放送波における番組の数が７つである例が示されているが、それより番組の数が多いと、画面に表示されない番組項目１３が発生する場合もある。例えば、番組の数が８つである場合は、１つの番組項目１３が画面に表示されなくなる。ここでは、ジョグダイヤル２１をユーザが時計回りに回転させる場合について説明したが、ジョグダイヤル２１をユーザが反時計回りに回転させる場合は、各番組項目１３が下に移動する点が時計回りの場合と異なるだけで、時計回りの場合と同様の処理が実行される。
【００５８】
ユーザがジョグダイヤル２１の回転操作を止めると、番組項目１３の移動も停止し、番組リスト１２の中央にある番組項目１３（図５の例では、「２」チャンネルの番組に対する番組項目）が他の番組項目１３よりも大きく、また、他の番組項目の色と異なる色で表示される。この状態で、ユーザがリモートコントロール装置２０の決定ボタン２２を押下すると、その番組の番組映像１０が表示部５０の画面全体に表示される。
【００５９】
このように、表示部５０が、番組リスト１２の中央にある番組項目１３を他の番組項目１３とは異なる表示形態で表示することにより、現時点で選択されている番組がどれであるかをユーザが容易に認識することができる。また、ユーザが決定ボタン２２を押下した場合に、その時点で選択されていた番組の番組映像１０を表示部５０が表示することにより、ユーザが視聴したい番組を適切に表示することができる。
【００６０】
また、番組リスト１２が表示されている状態でジョグダイヤル２１の左側、あるいは、右側が押下されると、放送波の種別が切り替えられる。図７は、映像表示装置４０がＩＰＴＶ放送を受信可能な場合の放送波種別の切り替え処理の一例について説明する図である。図７に示す処理は、映像表示装置４０がインターネットに接続され、ＩＰＴＶ放送事業者のＩＰＴＶ放送を配信するサーバ装置から番組情報を受信できる場合になされるものである。
【００６１】
地上デジタル放送が視聴されている場合に番組リスト１２が表示されると、図７に示すように、中央部には地上デジタル放送により放送される番組の番組項目１３が表示され、その左右に矢印マーク１４と、ＩＰＴＶ放送、ＢＳ放送を示す放送波切り替え情報１５が表示される（図７（ａ）を参照）。この状態において、ジョグダイヤル２１の右側が押下されると、視聴対象とする番組の放送波の種別が地上デジタル放送からＢＳ放送に切り替えられる。また、ジョグダイヤル２１の左側が押下されると、視聴対象とする番組の放送波の種別が地上デジタル放送からＩＰＴＶ放送に切り替えられる。放送波の種別がＢＳ放送に切り替えられると、中央部にはＢＳ放送により放送される番組の番組項目１３が表示され、その左右に矢印マーク１４と、地上デジタル放送、ＣＳ放送を示す放送波切り替え情報１５が表示される（図７（ｂ）を参照）。
【００６２】
さらに、この状態において、ジョグダイヤル２１の右側が押下されると、視聴対象とする番組の放送波の種別がＢＳ放送からＣＳ放送に切り替えられる。放送波の種別がＣＳ放送に切り替えられると、中央部にはＣＳ放送により放送される番組の番組項目１３が表示され、その左右に矢印マーク１４と、ＢＳ放送、ＩＰＴＶ放送を示す放送波切り替え情報１５が表示される（図７（ｃ）を参照）。その後、ジョグダイヤル２１の右側が押下されると、視聴対象とする番組の放送波の種別がＣＳ放送からＩＰＴＶ放送に切り替えられる。放送波の種別がＩＰＴＶ放送に切り替えられると、中央部にはＩＰＴＶ放送により放送される番組の番組項目１３が表示され、その左右に矢印マーク１４と、ＣＳ放送、地上デジタル放送を示す放送波切り替え情報１５が表示される（図７（ｄ）を参照）。
【００６３】
一方、映像表示装置４０がＩＰＴＶ放送を受信できない場合は、ＩＰＴＶ放送に放送を切り替えるための放送波切り替え情報１５は表示されない。図８は、映像表示装置４０がＩＰＴＶ放送を受信できない場合の放送波種別の切り替え処理の一例について説明する図である。図８に示す処理は、映像表示装置４０がインターネットに接続されていないか、あるいは、映像表示装置４０がインターネットに接続されていたとしても、ＩＰＴＶ放送事業者との間でＩＰＴＶ放送の視聴契約をユーザが結んでおらず、ＩＰＴＶ放送を提供するサーバ装置から番組情報を受信できない場合になされるものである。
【００６４】
図８に示すように、地上デジタル放送が視聴されている場合に番組リスト１２が表示されると、中央部には地上デジタル放送により放送される番組の番組項目１３が表示され、その左右に矢印マーク１４と、ＣＳ放送、ＢＳ放送を示す放送波切り替え情報１５が表示される（図８（ａ）を参照）。この状態において、ジョグダイヤル２１の右側が押下されると、視聴対象とする番組の放送波の種別が地上デジタル放送からＢＳ放送に切り替えられる。また、ジョグダイヤル２１の左側が押下されると、視聴対象とする番組の放送波の種別が地上デジタル放送からＣＳ放送に切り替えられる。放送波の種別がＢＳ放送に切り替えられると、中央部にはＢＳ放送により放送される番組の番組項目１３が表示され、その左右に矢印マーク１４と、地上デジタル放送、ＣＳ放送を示す放送波切り替え情報１５が表示される（図８（ｂ）を参照）。
【００６５】
さらに、この状態において、ジョグダイヤル２１の右側が押下されると、視聴対象とする番組の放送波の種別がＢＳ放送からＣＳ放送に切り替えられる。放送波の種別がＣＳ放送に切り替えられると、中央部にはＣＳ放送により放送される番組の番組項目１３が表示され、その左右に矢印マーク１４と、ＢＳ放送、地上デジタル放送を示す放送波切り替え情報１５が表示される（図８（ｃ）を参照）。このように、映像表示装置４０がＩＰＴＶ放送を受信できない場合は、ＩＰＴＶ放送へ放送を切り替えるための放送波切り替え情報１５が表示されない。このように、余分な情報の表示を行わないことにより、ユーザが視聴しようとする番組を選択する際の操作性が向上する。
【００６６】
なお、ＢＳ放送あるいはＣＳ放送用のアンテナをユーザが設置しておらず、映像表示装置４０がＢＳ放送あるいはＣＳ放送を受信できない場合、ＢＳ放送あるいはＣＳ放送の番組項目１３、および、ＢＳ放送あるいはＣＳ放送へ放送を切り替えるための放送波切り替え情報１５は表示されるものの、ＢＳ放送あるいはＣＳ放送の番組項目１３には放送局名のみが表示され、番組名は表示されない。これは、本処理を、ＢＳ放送あるいはＣＳ放送へ放送を直接切り替える専用ボタンが設けられている従来のリモートコントロール装置における処理と整合させるためである。ただし、これに限らず、映像表示装置４０がＢＳ放送あるいはＣＳ放送を受信できない場合に、ＢＳ放送あるいはＣＳ放送の番組項目１３、および、ＢＳ放送あるいはＣＳ放送へ放送波を切り替えるための放送波切り替え情報１５の表示を実行しないこととしてもよい。
【００６７】
このように、ジョグダイヤル２１の左右いずれかが押下された場合に、表示部５０に表示されている番組リスト１２に対応する放送波とは別の放送波に対する番組リスト１２を表示部５０に表示させることとしたので、放送波の切り替えボタン等をジョグダイヤル２１とは別に設けなくとも、放送波の切り替えをユーザが容易に行うことができる。また、番組リスト１２の左右に放送波切り替え情報１５を表示することにより、ジョグダイヤル２１の左右いずれかを押下すればよいかをユーザが容易に確認できる。
【００６８】
また、図７、図８の例では、番組リスト表示制御部５５ａは、番組項目１３の左右に放送波切り替え情報１５を表示することとしたが、放送波切り替え情報１５の表示を行わないこととしてもよい。これは、放送波の種別が４つと少なく、かつ、放送波が切り替えられる順番も固定されているので、切り替え可能な放送波があることを示す矢印マーク１４を表示するだけで十分な場合もあるからである。図９は、放送波切り替え情報１５の表示を行わない場合の放送波種別の切り替え処理の一例について説明する図である。
【００６９】
地上デジタル放送が視聴されている場合に番組リスト１２が表示されると、図９に示すように、中央部には地上デジタル放送により放送される番組の番組項目１３が表示され、その左右に矢印マーク１４が表示される（図９（ａ）を参照）。この矢印マーク１４は、ジョグダイヤル２１の左側、あるいは、右側を押下することにより切り替えることが可能な放送波があることを示している。この状態において、ジョグダイヤル２１の右側が押下されると、視聴対象とする番組の放送波の種別が地上デジタル放送からＢＳ放送に切り替えられる。また、ジョグダイヤル２１の左側が押下されると、視聴対象とする番組の放送波の種別が地上デジタル放送からＩＰＴＶ放送に切り替えられる。放送波の種別がＢＳ放送に切り替えられると、中央部にはＢＳ放送により放送される番組の番組項目１３が表示され、その左右に矢印マーク１４が表示される（図９（ｂ）を参照）。
【００７０】
さらに、この状態において、ジョグダイヤル２１の右側が押下されると、視聴対象とする番組の放送波の種別がＢＳ放送からＣＳ放送に切り替えられる。放送波の種別がＣＳ放送に切り替えられると、中央部にはＣＳ放送により放送される番組の番組項目１３が表示され、その左右に矢印マーク１４が表示される（図９（ｃ）を参照）。その後、ジョグダイヤル２１の右側が押下されると、視聴対象とする番組の放送波の種別がＣＳ放送からＩＰＴＶ放送に切り替えられる。放送波の種別がＩＰＴＶ放送に切り替えられると、中央部にはＩＰＴＶ放送により放送される番組の番組項目１３が表示され、その左右に矢印マーク１４が表示される（図９（ｄ）を参照）。
【００７１】
このように、図７、８に示した放送波切り替え情報１５を表示しないこととすることにより、画面が単純化され、番組項目１３の確認がしやすくなる。また、番組映像１０や番組項目１３をより大きく表示することができる。
【００７２】
また、図９に示す番組リスト１２は、ジョグダイヤル２１の右側、あるいは、左側のいずれかを何度も続けて押下すると、過去に表示された放送波の番組項目１３が再度表示されるループ状のリストとなっている。しかし、番組リスト１２がループ状のリストではなく、ユーザがジョグダイヤル２１の右側、あるいは、左側が押下したとしてもつぎに選択できる放送波がない場合は、番組リスト表示制御部５５ａは、番組リスト１２の右側、あるいは、左側に矢印マーク１４を表示しないこととしてもよい。これにより、切り替え可能な放送波が無いことが明示され、利便性が増す。
【００７３】
つぎに、本実施形態に係る映像表示処理の処理手順について説明する。図１０は、本実施形態に係る映像表示処理の処理手順を示すフローチャートである。なお、ここでは、すでに映像表示装置４０の表示部５０の画面全体に番組映像１０が表示されているものとする。図１０に示すように、映像表示装置４０の操作検出部５３は、表示部５０の画面全体に番組映像１０が表示されている間に、リモートコントロール装置２０に備えられたジョグダイヤル２１が所定量以上回転したか否かを判定する（ステップＳ１０１）。例えば、所定量として、３０度の角度などが予め設定される。このような判定をおこなうのは、ユーザが意図しないジョグダイヤル２１の回転により、番組リスト１２の表示処理が実行されるのを防止するためである。
【００７４】
表示部５０の画面全体に番組映像１０が表示されている間にジョグダイヤル２１が所定量以上回転していない場合（ステップＳ１０１においてＮＯの場合）、ステップＳ１０１に移行して、その時点で表示されている番組映像１０が継続して表示部５０の画面全体に表示されるとともに、ステップＳ１０１の判定処理が繰り返される。表示部５０の画面全体に番組映像１０が表示されている間にジョグダイヤル２１が所定量以上回転した場合（ステップＳ１０１においてＹＥＳの場合）、番組リスト表示制御部５５ａは、映像処理部４８を制御して、その時点で表示されている番組映像１０を縮小させるとともに、表示部５０を制御して、縮小された番組映像１０の右側に番組リスト１２を表示させる（ステップＳ１０２）。なお、ジョグダイヤル２１の回転量は所定量以上であればよい。ジョグダイヤル２１の回転量は番組リスト１２が表示された時点でクリアされ、番組リスト１２をスクロールさせる量には引き継がれない。従って、番組リスト１２が表示される前に所定量以上ユーザがジョグダイヤル２１を回転したとしても、番組リスト１２が表示されると同時にその分番組リスト１２がスクロールしてしまうことはない。また、番組リスト１２の表示位置はこれに限らず、別の位置に表示することとしてもよい。例えば、番組映像１０の左付近に円弧上に表示してもよいし、番組映像１０の上、あるいは下に番組リスト１２を表示してもよい。また、番組映像１０と番組リスト１２が一部重なってもよい。
【００７５】
その後、操作検出部５３は、再度ジョグダイヤル２１が回転したか否か、または、ジョグダイヤル２１の上若しくは下側が押下されたか否かを判定する（ステップＳ１０３）。再度ジョグダイヤル２１が回転した場合、または、ジョグダイヤル２１の上若しくは下側が押下された場合（ステップＳ１０３においてＹＥＳの場合）、番組リスト表示制御部５５ａは、映像処理部４８を制御して、番組リスト１２をスクロール表示させる（ステップＳ１０９）。具体的には、ジョグダイヤル２１をユーザが時計回りに回転させた場合、あるいは、ジョグダイヤル２１の上側をユーザが押下した場合、図５に示した番組項目１３が上に移動し、ジョグダイヤル２１をユーザが反時計回りに回転させた場合、あるいは、ジョグダイヤル２１の下側をユーザが押下した場合、番組項目１３が下に移動する。その後、ステップＳ１０３に移行して、それ以後の処理が実行される。
【００７６】
ステップＳ１０３において、再度ジョグダイヤル２１が回転しておらず、また、ジョグダイヤル２１の上若しくは下側が押下されてもいない場合（ステップＳ１０３においてＮＯの場合）、放送切り替え制御部５５ｃは、ジョグダイヤル２１の左、または、右側がユーザにより押下されたか否かを判定する（ステップＳ１０４）。
【００７７】
ジョグダイヤル２１の左、または、右側がユーザにより押下された場合（ステップＳ１０４においてＹＥＳの場合）、放送切り替え制御部５５ｃは、ジョグダイヤル２１の左、または、右側を押下することによりユーザが指定した放送波の種別である地上デジタル放送、ＢＳ放送、ＣＳ放送、あるいは、ＩＰＴＶ放送に番組リスト１２の表示対象とする放送を切り替える（ステップＳ１１０）。
【００７８】
具体的には、放送切り替え制御部５５ｃは、図７〜図９において説明したように、番組リスト１２に表示される番組項目１３を、ジョグダイヤル２１の左、または、右側の押下によりユーザが指定した地上デジタル放送、ＢＳ放送、ＣＳ放送、あるいは、ＩＰＴＶ放送の番組の番組項目１３に切り替える処理を行う。その後、ステップＳ１０３に移行して、それ以後の処理が実行される。
【００７９】
ジョグダイヤル２１の左側も右側もユーザにより押下されていない場合（ステップＳ１０４においてＮＯの場合）、番組切り替え制御部５５ｂは、図４に示すリモートコントロール装置２０の決定ボタン２２が押下されたか否かを判定する（ステップＳ１０５）。決定ボタン２２が押下された場合（ステップＳ１０５においてＹＥＳの場合）、番組切り替え制御部５５ｂは、図５に示す複数の番組項目１３のうち、中央にあり、他の番組項目１３よりも大きく表示された番組項目１３に対応する番組の番組映像１０に番組映像１０を切り替える（ステップＳ１０８）。そして、番組リスト表示制御部５５ａは、番組リスト１２の表示を終了させる（ステップＳ１０７）。その後、この映像表示処理は終了する。
【００８０】
ステップＳ１０５において、決定ボタン２２が押下されていない場合（ステップＳ１０５においてＮＯの場合）、操作検出部５３は、ユーザによりジョグダイヤル２１が操作されずに所定時間が経過したか否かを判定する（ステップＳ１０６）。所定時間が経過していない場合（ステップＳ１０６においてＮＯの場合）、ステップＳ１０３に移行して、それ以後の処理が実行される。所定時間が経過した場合（ステップＳ１０６においてＹＥＳの場合）、ステップＳ１０７に移行して、番組リスト表示制御部５５ａは、番組リスト１２の表示を終了させる。ここで、番組リスト１２の表示が終了すると、ステップＳ１０２で番組リスト１２を表示する前に選択されていた番組の番組映像１０が表示部１０の画面全体に表示される。その後、この映像表示処理は終了する。
【００８１】
なお、図１に示すように、番組項目１３を上下に移動している間、番組リスト１２の左側には、番組リスト１２が表示される前に選択されていたチャンネルの番組映像が表示されるが、番組リスト表示制御部５５ａは、同じ大きさで表示される番組項目１３が上下に移動すると同時に、中央にある番組項目１３の番組映像１０を、番組リスト１２の左側に表示するよう制御してもよい。これにより、番組項目１３の移動に合わせて、番組の内容が映像としても確認できるようになり、好適である。また、番組リスト表示制御部５５ａは、中央の番組項目１３を他の番組項目１３よりも大きく表示すると同時に、中央の番組項目１３の番組映像１０を表示するよう制御してもよい。これにより、中央の番組項目１３が強調されると同時に、その番組項目１３の番組映像１０が表示されるので、番組項目１３と番組映像１０との関連を想起しやすくなり、好適である。
【００８２】
また、番組リスト表示制御部５５ａは、ユーザが番組項目１３の移動を止め、所定の時間が経過した場合に、番組リスト１２の中央にある番組項目１３の番組映像１０を表示するよう制御してもよい。番組項目１３の移動を一旦停止したということは、ユーザがその番組に興味を示している可能性がある。そこで、番組リスト１２の中央にある番組項目１３の番組映像１０を表示し、ユーザが興味を示している番組映像１０をユーザに視聴させることにより、ユーザはより詳細に内容の確認を行うことができ、好適である。ここで、ユーザが移動を止めたと判断する所定の時間とは、たとえば５秒程度である。番組項目１３の内容は簡潔に記載されているので、ユーザは１、２秒で十分記載内容を確認できるからである。また、地上デジタル放送では、映像のデコードに数秒（２〜３秒）程度かかることから、その遅延時間による操作性の低下を解消することも考えられる。
【００８３】
なお、番組リスト１２の中央にある番組項目１３の番組映像１０を番組リスト１２の左側に表示する場合、その番組映像１０に対応するチャンネルは、それまでに番組リスト１２の左側に番組映像１０が表示されていたチャンネルを選局したチューナー部（第１のチューナー部）とは異なるチューナー部（第２のチューナー部）により選局される。
【００８４】
具体的には、番組項目１３が上、あるいは、下に移動することにより、ある番組の番組項目１３がつぎに番組リスト１２の中央に表示されることとなっている場合に、その時点で番組映像１０が表示されているチャンネル（第１のチャンネル）を選局しているチューナー部とは異なるチューナー部が、つぎに番組リスト１２の中央に番組項目１３が表示されることとなっている番組のチャンネル（第２のチャンネル）を前もって選局する。
【００８５】
例えば、地上デジタル放送用チューナー部４２ａが、その時点で番組映像１０が表示されているチャンネルを選局している場合、地上デジタル放送用チューナー部４２ｂが、つぎに番組リスト１２の中央に番組項目１３が表示されることとなっている番組のチャンネルを前もって選局する。ＢＳ放送用チューナー部４３ａ、４３ｂ、ＣＳ放送用チューナー部４４ａ、４４ｂ、ＩＰＴＶ放送用チューナー部４５ａ、４５ｂについても同様である。
【００８６】
このように、番組リスト１２の中央に表示された番組映像１０を番組リスト１２の横に表示することにより、視聴する番組を選択するユーザを支援することができる。また、その時点で番組映像１０が表示されているチャンネルを選局しているチューナー部とは異なるチューナー部が、つぎに番組映像１０を表示すべきチャンネルを前もって選局することにより、番組映像１０を切り替えながら番組項目１３をスクロールする処理を円滑に行うことができる。
【００８７】
また、番組リスト表示制御部５５ａは、つぎに番組リスト１２の中央に番組項目１３が表示されることとなっている番組映像１０を表示する代わりに、その番組映像１０から静止画像を抽出し、抽出した静止画像を表示するよう制御することとしてもよい。具体的には、番組リスト表示制御部５５ａは、予め定期的に番組リスト１２に含まれる番組の番組映像１０から静止画像を作成・保存しておき、１つの番組項目１３が番組リスト１２の中央に表示された場合に、その番組項目１３に対応した静止画像を表示するよう制御することとしてもよい。これにより、番組項目１３のスクロール表示を行う映像表示装置４０の負荷が低減される。
【００８８】
また、図５の例では、番組リスト１２に番組項目１３が７つ表示されているが、番組リスト表示制御部５５ａは、番組項目１３の数をユーザがジョグダイヤル２１を回転させる速度に応じて増減させることとしてもよい。具体的には、操作検出部５３は、ユーザがジョグダイヤル２１を回転させる速度を検出する。そして、番組リスト表示制御部５５ａは、検出された速度に応じて予め設定された数の番組項目１３を、予め設定された大きさで表示する。ここで、表示する番組項目１３の数は、回転速度が大きいほど多く、表示する番組項目１３の大きさは、回転速度が大きいほど小さくなるように設定されている。このように、回転速度が大きいほど多くの番組項目１３を表示することにより、視聴したい番組をユーザが迅速に見つけることができ、また、回転速度が小さいときには番組項目１３の数を減らすことにより、視聴したい番組をユーザが容易に決定することができる。
【００８９】
また、上記映像表示処理では、所定時間が経過した場合に、表示部１０が、番組リスト１２を表示する前に選択されていた番組の番組映像１０を表示することとしたが、所定時間が経過した場合に、表示部５０が、その時点で番組リスト１２の複数の番組項目１３の中央にあり、他の番組項目１３よりも大きく表示された番組項目１３に対応する番組の番組映像１０を画面全体に表示することとしてもよい。このように、ユーザが決定ボタン２２を押下し忘れたとしても、所定の時間が経過すれば、その時点で選択されている番組の番組映像１０が表示部５０の画面全体に表示されるので、利便性が増す。
【００９０】
また、上記映像表示処理では、番組リスト１２が表示されている間にユーザによるジョグダイヤル２１の操作を受け付け、チャンネルを選局することとしたが、番組リスト表示制御部５５ａは、ジョグダイヤル２１以外の操作がなされた場合は番組リスト１２の表示を止めてもよい。例えば、液晶表示装置４０のメニュー、画質設定等（On-Screen Display）を表示するホームボタン３３やツールボタン３２が操作された場合や、上部または下部を押下することにより番組項目１３を１つずつアップ、ダウンしてチャンネルを選局するための選局アップダウンボタン２７が操作された場合に、番組リスト表示制御部５５ａは、番組リスト１２の表示を止め、上記設定画面や選局後のチャンネルに対応する番組映像１０を表示するよう制御してもよい。チャンネルを選局する操作は比較的頻繁にかつ短時間で行われるのに対して、メニュー操作や画質設定などの操作は比較的長時間かけて行われることが多く、また、重要な操作だからである。また、選局アップダウンボタン２７による選局操作は、チャンネルを１つずつ切り替える操作であり、この操作とジョグダイヤル２１による操作とは両立しないからである。
【００９１】
また、上記映像表示処理では、番組リスト表示制御部５５ａは、リモートコントロール装置２０のジョグダイヤル２１を操作するユーザの操作能力に依らず、ジョグダイヤル２１の回転量に基づいて、番組リスト１２の表示やスクロールを制御することとしたが、ユーザの操作能力に関する情報に基づいて、ジョグダイヤル２１の回転量の出力値を調整し、調整後の出力値に基づいてそれらの制御を行うこととしてもよい。
【００９２】
ユーザの操作能力に関する情報には、例えば、ユーザの性別、手の大きさ、年齢、右利きか左利きか、ジョグダイヤル２１の操作の習熟度の情報が含まれる。具体的には、男性は女性よりも手が大きいため、１回の回転操作におけるジョグダイヤル２１の回転量が女性よりも大きくなってしまうが、操作検出部５３が、ジョグダイヤル２１の回転量の出力値を、実際の出力値よりも小さいものに調整することにより、女性と男性とでジョグダイヤル２１の操作性を同等のものとすることができる。また、同性でも手の大きさが異なる場合があるが、上記処理と同様の処理を行うことにより、手の大きいユーザと小さいユーザとでジョグダイヤル２１の操作性を同等のものとすることができる。
【００９３】
同様に、成人は、若年者や老人に比べて１回の回転操作におけるジョグダイヤル２１の回転量が大きくなってしまうが、操作検出部５３が、ジョグダイヤル２１の回転量の出力値を、実際の出力値よりも小さいものに調整することにより、成人と若年者や老人とでジョグダイヤル２１の操作性を同等のものとすることができる。
【００９４】
また、リモートコントロール装置２０においてジョグダイヤル２１が設けられた位置によっては、ユーザが右利きか左利きかによって、１回の回転操作におけるジョグダイヤル２１の回転量が変わってくる可能性があるが、操作検出部５３が、ユーザが右利きか左利きか応じてジョグダイヤル２１の回転量を調整することにより、右利きのユーザと左利きのユーザとでジョグダイヤル２１の操作性を同等のものとすることができる。
【００９５】
また、ジョグダイヤル２１の操作に習熟していないユーザは、１回の回転操作におけるジョグダイヤル２１の回転量が、その操作に習熟しているユーザよりも小さくなる場合があるが、操作検出部５３が、ジョグダイヤル２１の回転量の出力値を、実際の出力値よりも大きいものに調整することにより、その操作に習熟していないユーザと習熟しているユーザとでジョグダイヤル２１の操作性を同等のものとすることができる。
【００９６】
ここで、出力値の調整の度合いは、実際の回転量（回転角）の大きさにより変更する。例えば、実際の回転量が小さい場合、操作検出部５３は、それが大きい場合に比べて、出力値をあまり小さくしないようにする。これにより、ジョグダイヤル２１を少しだけ回す操作を意図的に行っている場合に、その操作が検出されにくくなることを防止することができる。
【００９７】
上記調整を行う場合、操作検出部５３は、ユーザから性別、手の大きさ、年齢、右利きか左利きか、ジョグダイヤル２１の操作の習熟度の設定を受け付ける。例えば、操作検出部５３は、映像処理部４８を制御して、表示部５０に性別、手の大きさ、年齢、右利きか左利きか、ジョグダイヤル２１の操作の習熟度の情報の入力を受け付ける画面を表示させ、その画面上でユーザがリモートコントロール装置２０を操作して設定した上記情報を受け付ける。そして、操作検出部５３は、受け付けた性別、手の大きさ、年齢、右利きか左利きか、ジョグダイヤル２１の操作の習熟度の設定情報を記憶部５４に記憶する。
【００９８】
また、記憶部５４には、リモートコントロール装置２０のジョグダイヤル２１の実際の回転量に対応付けて、性別、手の大きさ、年齢、右利きか左利きか、ジョグダイヤル２１の操作の習熟度の組み合わせごとに、回転量の増加割合または減少割合の情報が予め記憶されているものとする。
【００９９】
そして、操作検出部５３は、リモートコントロール装置２０のジョグダイヤル２１が回転した場合に、その回転量を検出するとともに、記憶部５４からユーザの性別、手の大きさ、年齢、右利きか左利きか、ジョグダイヤル２１の操作の習熟度の情報を読み出し、読み出した情報に対応する増加割合または減少割合の情報を記憶部５４からさらに読み出す。そして、操作検出部５３は、検出した回転量にその増加割合または減少割合を掛け算して、調整後の回転量の出力値を算出する。
【０１００】
これにより、ジョグダイヤル２１の実際の回転量の出力値を調整することができ、調整後の出力値を用いてユーザの操作を検出することにより、ジョグダイヤル２１の操作性を向上させることができる。なお、ここでは、ユーザの操作能力に関する情報として、ユーザの性別、手の大きさ、年齢、右利きか左利きか、ジョグダイヤル２１の操作の習熟度の情報を用いる場合について説明したが、用いる情報はこれらの情報の１つ以上であればよく、また、これらの情報以外のユーザの操作能力に関する情報を用いることとしてもよい。
【０１０１】
また、上記映像表示処理では、番組リスト表示制御部５５ａは、リモートコントロール装置２０の形態や大きさに依らず、リモートコントロール装置２０のジョグダイヤル２１の回転量に基づいて、番組リスト１２の表示やスクロールを制御することとしたが、リモートコントロール装置２０の形態および／または大きさに基づいて、ジョグダイヤル２１の回転量の出力値を調整し、調整後の出力値に基づいてそれらの制御を行うこととしてもよい。
【０１０２】
例えば、ポータブル型の映像表示装置４０には小型のリモートコントロール装置２０が付属している場合がある。このようなリモートコントロール装置２０のジョグダイヤル２１は、ボタンが多い大型のリモートコントロール装置２０のジョグダイヤル２１よりも、１回の回転操作における回転量が大きくなってしまう。また、形態が異なるリモートコントロール装置２０の間でも、１回の回転操作における回転量が異なる可能性がある。
【０１０３】
そのため、操作検出部５３が、ジョグダイヤル２１の回転量の出力値を、実際の回転量の出力値よりも小さいものに調整することにより、小型のリモートコントロール装置２０と大型のリモートコントロール装置２０とでジョグダイヤル２１の操作性を同等のものとすることができる。また、形態が異なるリモートコントロール装置２０の間でも、回転量の出力値を調整することにより、ジョグダイヤル２１の操作性を同等のものとすることができる。
【０１０４】
この場合、リモートコントロール装置２０は、例えば、ユーザにより操作がなされた場合に送信するリモートコントロール信号に、リモートコントロール装置２０の形態および大きさを識別する識別子を含める。この識別子は、例えば、リモートコントロール装置２０の型番の情報などであってもよい。そして、映像表示装置４０のリモートコントロール信号受信部５２は、そのリモートコントロール信号を受信し、操作検出部５３は、リモートコントロール信号から識別子を抽出する。
【０１０５】
また、記憶部５４には、リモートコントロール装置２０のジョグダイヤル２１の実際の回転量に対応付けて、リモートコントロール装置２０の形態および大きさごとに、回転量の増加割合または減少割合の情報が予め記憶されているものとする。
【０１０６】
そして、操作検出部５３は、リモートコントロール装置２０のジョグダイヤル２１が回転した場合に、その回転量を検出するとともに、リモートコントロール装置２０の識別子に対応する増加割合または減少割合の情報を記憶部５４から読み出し、検出した回転量にその増加割合または減少割合を掛け算して、調整後の回転量の出力値を算出する。
【０１０７】
これにより、ジョグダイヤル２１の実際の回転量の出力値を調整することができ、調整後の出力値を用いてユーザの操作を検出することにより、ジョグダイヤル２１の操作性を向上させることができる。なお、ここでは、形態および大きさの情報を用いる場合について説明したが、用いる情報は形態および大きさの情報のいずれか１つであってもよい。
【０１０８】
また、上記映像表示処理では、番組リスト表示制御部５５ａは、図５で説明したように、映像を受信可能な番組のうちの一部の番組の番組項目１３を含む番組リスト１２を表示部５０に表示させることとしたが、番組数が非常に多い場合や、ユーザからの表示指示を受け付けた場合などに、映像を表示したい番組を番組リス１２において迅速に選択できるようにするため、上記一部の番組と、その一部の番組以外の番組がそれぞれ異なる位置に対応付けられた番組探索図形を表示部５０に表示させ、その番組探索図形を用いて探索された番組を含む番組リスト１２を表示部５０に表示させることとしてもよい。
【０１０９】
図１１は、番組探索図形９０の一例について説明する図である。図１０に示した映像表示処理と同様、この映像表示処理では、リモートコントロール装置２０のジョグダイヤル２１が所定量以上回転した場合に、番組リスト表示制御部５５ａは、映像処理部４８を制御して、表示部５０に番組映像１０および番組リスト１２を表示させる。そして、映像を受信可能な番組の数が所定数以上であり、ジョグダイヤル２１の回転が所定の時間継続した場合、番組リスト表示制御部５５ａは、番組探索図形９０を表示部５０に表示させる。
【０１１０】
図１１には、番組リスト１２において選択された番組の番組映像１０と、番組探索図形９０とが示されている。この番組探索図形９０には楕円部分が含まれる。そして、番組リスト１２に番組項目１３が含まれていた番組とそれ以外の番組はそれぞれ、チャンネル番号順に並べられ、楕円部分の異なる位置に対応付けられている。一方、番組リスト１２においても、チャンネル番号順に、各番組項目１３が並べられる。
【０１１１】
また、番組探索図形９０には、代表的な番組の楕円部分における位置を示す番組表示欄９１と、探索された探索番組表示欄９２とが含まれる。なお、図１１の例では、チャンネル番号が２０５番である番組表示欄９１の表示位置が、探索番組表示欄９２の表示位置と重なるため、番組表示欄９１は表示されていない。
【０１１２】
ここで、番組リスト表示制御部５５ａは、楕円部分に対応付ける番組の数に応じて、番組表示欄９１を表示する番組を変更する。例えば、図１１に示すように、番組表示欄９１を４つ表示する場合、番組リスト表示制御部５５ａは、隣り合う番組表示欄９１に表示されるチャンネル番号の間隔が、ほぼ等しくなるように代表的な番組を選択する。
【０１１３】
例えば、楕円部分に対応付ける番組の数が４０８である場合、番組リスト表示制御部５５ａは、チャンネル番号が１、１０３（＝１＋４０８／４）、２０５（＝１＋４０８／４×２）、３０７（＝１＋４０８／４×３）である番組を選択し、それらのチャンネル番号を示す番組表示欄９１を表示する。また、番組リスト表示制御部５５ａは、１、１００、２１０、３１０など、チャンネル番号が切りがよい数字となる番組を選択し、それらのチャンネル番号を示す番組表示欄９１を表示することとしてもよい。なお、表示される番組表示欄９１の数は、４つに限らず、８つなどでもよい。
【０１１４】
そして、番組リスト表示制御部５５ａは、ユーザのジョグダイヤル２１の操作に応じて、番組表示欄９１と探索番組表示欄９２の表示を変化させる。図１２は、番組表示欄９１と探索番組表示欄９２の表示の変化の一例を示す図である。
【０１１５】
例えば、図１１に示した番組探索図形９０の状態において、ユーザがジョグダイヤル２１を回転させた場合、図１２に示すように、番組リスト表示制御部５５ａは、その回転に合わせて、各番組が対応付けられている楕円部分の各位置を楕円部分の周に沿って移動させる。それに伴い、番組リスト表示制御部５５ａは、番組表示欄９１も周に沿って移動させる。
【０１１６】
また、番組リスト表示制御部５５ａは、探索番組表示欄９２の表示位置は変化させないものの、探索番組表示欄９２の表示位置にある楕円部分に対応付けられている番組のチャンネル番号を探索番組表示欄９２に表示する。ジョグダイヤル２１の回転に伴いチャンネル番号の表示が切り換わる速度（この速度は、各番組が対応付けられている楕円部分の各位置が楕円部分の周に沿って移動する速度と同じものである。）は、同じジョグダイヤル２１の回転に対して番組項目１３が番組リスト１２において切り換わる速度よりも速い速度に設定される。
【０１１７】
チャンネル番号の表示の切り替わり速度が速い番組探索図形９０では、ユーザは、映像を表示したい番組のチャンネル番号を直接選択する必要はなく、そのチャンネル番号に近いチャンネル番号を有する番組を選択するだけでよい。この場合、番組リスト１２には、選択された番組に対応する番組項目１３と、チャンネル番号がその番組に近い番組の番組項目１３が表示されることになるので、ユーザは、番組リスト１２を用いて、映像を表示したい番組を正確に選択することができる。
【０１１８】
なお、ここでは、ジョグダイヤル２１の回転に合わせて、楕円部分の各位置や探索番組表示欄９２が移動し、探索番組表示欄９２における表示が切り換わることとしたが、ジョグダイヤル２１の上若しくは下側が押下された場合に、楕円部分の各位置や探索番組表示欄９２が移動し、探索番組表示欄９２における表示が切り換わることとしてもよい。
【０１１９】
また、番組リスト表示制御部５５ａは、番組探索図形９０の表示を、図１１に示したような番組リスト１２が表示される番組選択画面１１と切り替えて表示部５０に行わせることとしてもよいし、番組探索図形９０を番組選択画面１１に重ねて表示させることとしてもよい。
【０１２０】
図１３は、番組探索図形９０を番組選択画面１１の空き領域に表示する一例を示す図である。また、図１４は、番組探索図形９０を番組選択画面１１に半透明で表示する一例を示す図である。このように、番組探索図形９０を番組選択画面１１に表示することにより、画面の切り替えが発生しないので、画面が見易くなる。
【０１２１】
また、番組探索図形９０を用いてユーザが番組を探索する間、番組リスト表示制御部５５ａは、探索番組表示欄９２に番組のチャンネル番号を表示する処理を表示部５０に実行させるとともに、そのチャンネル番号に対応する番組の番組項目１３が番組リスト１２の中央に常に表示されるように、表示部５０に番組リスト１２の表示をさせるようにしてもよい。
【０１２２】
また、図１１の例では、探索番組表示欄９２が画面の右側に来るように表示している。もとの番組選択画面１１においても、番組リスト１２が画面の右側に表示されていたため、このような表示を行うことにより、ユーザは番組探索図形９０が表示された画面において、スムーズに探索番組表示欄９２の位置を確認できる。
【０１２３】
また、探索番組表示欄９２を番組探索図形９０の左側に表示することとしてもよい。図１５は、探索番組表示欄９２の表示の別の一例を示す図である。もとの番組選択画面１１の番組リスト１２では、各番組項目１３が左側に凸となる円弧状に並べられ、その中央にその時点で選択されている番組の番組項目１３が表示されているが、図１５のような表示を行うことにより、番組探索図形９０の左側に凸となる弧の部分の中央に探索番組表示欄９２が表示されることになるため、ユーザは番組探索図形９０が表示された画面において、容易に探索番組表示欄９２の位置を確認できる。
【０１２４】
つぎに、番組探索図形９０を用いた映像表示処理の処理手順の一例について説明する。図１６は、番組探索図形９０を用いた映像表示処理の処理手順の一例を示すフローチャートである。図１０に示した映像表示処理と同様に、本映像表示処理においても、映像表示装置４０の表示部５０の画面全体に番組映像１０が表示されているものとする。
【０１２５】
図１６に示すように、映像表示装置４０の操作検出部５３は、表示部５０の画面全体に番組映像１０が表示されている間に、リモートコントロール装置２０に備えられたジョグダイヤル２１が所定量以上回転したか否かを判定する（ステップＳ２０１）。
【０１２６】
表示部５０の画面全体に番組映像１０が表示されている間にジョグダイヤル２１が所定量以上回転していない場合（ステップＳ２０１においてＮＯの場合）、ステップＳ２０１に移行して、番組映像１０が継続して表示部５０の画面全体に表示されるとともに、ステップＳ２０１の判定処理が繰り返される。表示部５０の画面全体に番組映像１０が表示されている間にジョグダイヤル２１が所定量以上回転した場合（ステップＳ２０１においてＹＥＳの場合）、番組リスト表示制御部５５ａは、映像処理部４８を制御して、その時点で表示されている番組映像１０を縮小させるとともに、表示部５０を制御して、縮小された番組映像１０の右側に番組リスト１２を表示させる（ステップＳ２０２）。
【０１２７】
その後、番組リスト表示制御部５５ａは、映像を受信可能な番組の数が所定値以上であるか否かを判定する（ステップＳ２０３）。映像を受信可能な番組の数が所定値以上でない場合（ステップＳ２０３においてＮＯの場合）、映像表示処理が実行される（ステップＳ２１１）。この映像表示処理は、図１０のステップＳ１０３〜ステップＳ１１０の処理と同様の処理であり、番組リスト１２を用いて映像を表示する番組の選択をユーザから受け付ける処理である。
【０１２８】
映像を受信可能な番組の数が所定値以上でない場合（ステップＳ２０３においてＹＥＳの場合）、番組リスト表示制御部５５ａは、ユーザがジョグダイヤル２１を所定時間以上回転させたか否かを判定する（ステップＳ２０４）。そして、ユーザがジョグダイヤル２１を所定時間以上回転させていない場合（ステップＳ２０４においてＮＯの場合）、図１０のステップＳ１０３〜ステップＳ１１０の処理と同様の映像表示処理が実行される（ステップＳ２１１）。
【０１２９】
ユーザがジョグダイヤル２１を所定時間以上回転させた場合（ステップＳ２０４においてＹＥＳの場合）、番組リスト表示制御部５５ａは、表示部５０を制御して、番組探索図形９０を表示させる（ステップＳ２０５）。
【０１３０】
その後、操作検出部５３は、再度ジョグダイヤル２１が回転したか否か、または、ジョグダイヤル２１の上若しくは下側が押下されたか否かを判定する（ステップＳ２０６）。再度ジョグダイヤル２１が回転した場合、または、ジョグダイヤル２１の上若しくは下側が押下された場合（ステップＳ２０６においてＹＥＳの場合）、番組リスト表示制御部５５ａは、映像処理部４８を制御して、番組探索図形９０を更新する（ステップＳ２１２）。
【０１３１】
具体的には、番組リスト表示制御部５５ａは、ジョグダイヤル２１の回転、または、ジョグダイヤル２１の上若しくは下側の押下に合わせて、各番組が対応付けられている楕円部分の各位置を楕円部分の周に沿って移動させる。それに伴い、番組リスト表示制御部５５ａは、番組表示欄９１も周に沿って移動させる。また、番組リスト表示制御部５５ａは、探索番組表示欄９２の表示位置にある楕円部分に対応付けられている番組のチャンネル番号を探索番組表示欄９２に表示させる。その後、ステップＳ２０６に移行して、それ以後の処理が実行される。
【０１３２】
ステップＳ２０６において、再度ジョグダイヤル２１が回転しておらず、また、ジョグダイヤル２１の上若しくは下側が押下されてもいない場合（ステップＳ２０６においてＮＯの場合）、放送切り替え制御部５５ｃは、ジョグダイヤル２１の左、または、右側がユーザにより押下されたか否かを判定する（ステップＳ２０７）。
【０１３３】
ジョグダイヤル２１の左、または、右側がユーザにより押下された場合（ステップＳ２０７においてＹＥＳの場合）、放送切り替え制御部５５ｃは、ジョグダイヤル２１の左、または、右側を押下することによりユーザが指定した放送波の種別である地上デジタル放送、ＢＳ放送、ＣＳ放送、あるいは、ＩＰＴＶ放送に番組リスト１２の表示対象とする放送を切り替える（ステップＳ２１３）。その後、ステップＳ２０６に移行して、それ以後の処理が実行される。
【０１３４】
ジョグダイヤル２１の左側も右側もユーザにより押下されていない場合（ステップＳ２０７においてＮＯの場合）、番組リスト表示制御部５５ａは、図４に示すリモートコントロール装置２０の決定ボタン２２が押下されたか否かを判定する（ステップＳ２０８）。決定ボタン２２が押下された場合（ステップＳ２０８においてＹＥＳの場合）、番組リスト表示制御部５５ａは、番組リスト１２を更新する（ステップＳ２１０）。
【０１３５】
具体的には、番組リスト表示制御部５５ａは、その時点で探索番組表示欄９２に表示されているチャンネル番号の番組の番組項目１３を中央に表示する番組リスト１２を表示部５０に表示させる。
【０１３６】
決定ボタン２２が押下されていない場合（ステップＳ２０８においてＮＯの場合）、番組リスト表示制御部５５ａは、ステップＳ２０５において番組探索図形９０を表示してから所定の時間が経過したか否かを判定する（ステップＳ２０９）。所定の時間が経過していない場合（ステップＳ２０９においてＮＯの場合）、ステップＳ２０６に移行して、それ以後の処理が実行される。
【０１３７】
所定の時間が経過した場合（ステップＳ２０９においてＹＥＳの場合）、番組リスト表示制御部５５ａは、番組リスト１２を更新する（ステップＳ２１０）。具体的には、番組リスト表示制御部５５ａは、その時点で探索番組表示欄９２に表示されているチャンネル番号の番組の番組項目１３を中央に表示する番組リスト１２を表示部５０に表示させる。その後、図１０のステップＳ１０３〜ステップＳ１１０の処理と同様の映像表示処理が実行される（ステップＳ２１１）。
【０１３８】
なお、図１６に示した映像表示処理では、番組リスト表示制御部５５ａは、映像を受信可能な番組の数が所定値以上であり、かつ、ユーザがジョグダイヤル２１を所定時間以上回転させた場合に、番組探索図形９０を表示部５０に表示させることとしたが、映像を受信可能な番組の数が所定値以上である場合、または、ユーザがジョグダイヤル２１を所定時間以上回転させた場合のいずれかの場合に番組探索図形９０を表示部５０に表示させることとしてもよい。
【０１３９】
さて、これまで映像表示装置および映像表示方法の実施形態を中心に説明を行ったが、本発明はこれらの実施形態に限定されるものではなく、映像表示装置の機能を実現するためのコンピュータプログラムとしての形態、あるいは、当該コンピュータプログラムが記録されたコンピュータ読み取り可能な記録媒体の形態として本発明が実施されることとしてもよい。
【０１４０】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【０１４１】
これら記録媒体に上記実施形態における映像表示装置の機能を実現させるコンピュータプログラム、または、映像表示方法をコンピュータに実行させるコンピュータプログラムを記録して流通させることにより、コストの低廉化、及び可搬性や汎用性を向上させることができる。
【０１４２】
そして、コンピュータに上記記録媒体を装着し、コンピュータにより記録媒体に記録されたコンピュータプログラムを読み出してメモリに格納し、コンピュータが備えるプロセッサ（CPU：Central Processing Unit、MPU：Micro Processing Unit）が当該コンピュータプログラムをメモリから読み出して実行することにより、本実施形態に係る映像表示装置の機能を実現し、映像表示方法を実行することができる。
【０１４３】
また、本発明は上述した実施形態に限定されず、本発明の要旨を逸脱しない範囲内で各種の変形、修正が可能である。
【符号の説明】
【０１４４】
１０…番組映像、１１…番組選択画面、１２…番組リスト、１３…番組項目、１４…矢印マーク、１５…放送波切り替え情報、２０…リモートコントロール装置、２１…ジョグダイヤル、２２…決定ボタン、２３…戻るボタン、２４…終了ボタン、２５…電源オンオフボタン、２６…音量アップダウンボタン、２７…選局アップダウンボタン、２８…データ放送表示用ボタン、２９ａ〜２９ｄ…データ放送用カラーキー、３０…数字ボタン、３１…アプリケーションボタン、３２…ツールボタン、３３…ホームボタン、３４…番組表ボタン、４０…映像表示装置、４１…ネットワークインターフェース部、４２ａ、４２ｂ…地上デジタル放送用チューナー部、４３ａ、４３ｂ…ＢＳ放送用チューナー部、４４ａ、４４ｂ…ＣＳ放送用チューナー部、４５ａ、４５ｂ…ＩＰＴＶ放送用チューナー部、４６…セレクタ部、４７…デコード部、４８…映像処理部、４９…音声処理部、５０…表示部、５１…スピーカー、５２…リモートコントロール信号受信部、５３…操作検出部、５４…記憶部、５５…制御部、５５ａ…番組リスト表示制御部、５５ｂ…番組切り替え制御部、５５ｃ…放送切り替え制御部、６０…地上デジタル放送用アンテナ、７０…ＢＳ／ＣＳ放送用アンテナ、８０…チャンネル番号、８１…放送局のロゴマーク、８２…３桁チャンネル番号、８３…放送局名、８４…番組名、９０…番組探索図形、９１…番組表示欄、９２…探索番組表示欄。
【図１】
2012170048.tif 000003
【図２】
2012170048.tif 000004
【図３】
2012170048.tif 000005
【図４】
2012170048.tif 000006
【図５】
2012170048.tif 000007
【図６】
2012170048.tif 000008
【図７】
2012170048.tif 000009
【図８】
2012170048.tif 000010
【図９】
2012170048.tif 000011
【図１０】
2012170048.tif 000012
【図１１】
2012170048.tif 000013
【図１２】
2012170048.tif 000014
【図１３】
2012170048.tif 000015
【図１４】
2012170048.tif 000016
【図１５】
2012170048.tif 000017
【図１６】
2012170048.tif 000018
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
各チャンネルに対応するチャンネル選択ボタンを有さないリモートコントロール装置を用いて選択された番組の映像を表示する映像表示装置であって、
前記番組の映像を表示する表示部と、
リモートコントロール装置に備えられたジョグダイヤルの回転操作を検出する操作検出部と、
前記表示部の画面全体に前記番組の映像が表示されている間に前記操作検出部により前記回転操作が検出された場合に、前記番組の映像を前記表示部に表示させつつ、それぞれ異なる番組に対応付けられた複数の番組項目を含む番組リストを前記表示部に表示させる制御部を備え、該制御部は、前記ジョグダイヤルの回転操作により前記番組リストを用いて選択された番組の映像を前記表示部に表示させることを特徴とする映像表示装置。
【請求項２】
前記番組リストに含まれる番組項目は、前記映像を受信可能な番組のうちの一部の番組の番組項目であり、前記制御部は、該一部の番組と、該一部の番組以外の番組がそれぞれ異なる位置に対応付けられた番組探索図形を前記表示部に表示させ、該番組探索図形を用いて番組が探索された場合に、探索された該番組を含む番組リストを前記表示部に表示させることを特徴とする請求項１に記載の映像表示装置。
【請求項３】
前記制御部は、前記一部の番組と、該一部の番組以外の番組の総数が所定数以上である場合に、前記番組探索図形を前記表示部に表示させることを特徴とする請求項２に記載の映像表示装置。
【請求項４】
前記制御部は、前記操作検出部により、前記回転操作が所定の時間以上行われたことが検出された場合に、前記番組探索図形を前記表示部に表示させることを特徴とする請求項２または３に記載の映像表示装置。
【請求項５】
前記制御部は、前記番組の映像および前記番組リストとともに、前記番組探索図形を前記表示部に表示させることを特徴とする請求項２〜４のいずれか１項に記載の映像表示装置。
【請求項６】
番組の映像を表示する映像表示装置であって、
前記番組の映像を表示する表示部と、
リモートコントロール装置に備えられたジョグダイヤルの回転操作を検出する操作検出部と、
前記表示部の画面全体に前記番組の映像が表示されている間に前記操作検出部により前記回転操作が検出された場合に、前記番組の映像を前記表示部に表示させつつ、それぞれ異なる番組に対応付けられた複数の番組項目を含む番組リストを前記表示部に表示させる制御部を備え、前記番組リストに含まれる番組項目は、前記映像を受信可能な番組のうちの一部の番組の番組項目であり、前記制御部は、該一部の番組と、該一部の番組以外の番組がそれぞれ異なる位置に対応付けられた番組探索図形を前記表示部に表示させ、該番組探索図形を用いて番組が探索された場合に、探索された該番組を含む番組リストを前記表示部に表示させることを特徴とする映像表示装置。
【請求項７】
前記制御部は、前記ジョグダイヤルの回転操作により前記番組リストを用いて選択された番組の映像を前記表示部に表示させることを特徴とする請求項６に記載の映像表示装置。
【請求項８】
前記制御部は、前記番組リストにおいて、前記ジョグダイヤルの回転操作により選択された番組に対応する番組項目を、他の番組に対応する番組項目とは異なる表示形態で前記表示部に表示させることを特徴とする請求項１〜７のいずれか１項に記載の映像表示装置。
【請求項９】
前記制御部は、前記ジョグダイヤルの回転操作により１つの番組が選択された状態で、前記リモートコントロール装置の所定のボタンが押下された場合に、選択された前記番組の映像を前記表示部に表示させることを特徴とする請求項１〜８のいずれか１項に記載の映像表示装置。
【請求項１０】
前記制御部は、前記ジョグダイヤルの回転操作により１つの番組が選択された状態で所定の時間が経過した場合に、選択された前記番組の映像を前記表示部に表示させることを特徴とする請求項１〜８のいずれか１項に記載の映像表示装置。
【請求項１１】
前記操作検出部は、前記ジョグダイヤルの左右いずれかに対する押下操作をさらに検出し、前記制御部は、前記番組リストが前記表示部に表示されている状態で、前記ジョグダイヤルの左右いずれかが押下された場合に、該表示部に表示されている番組リストに対応する放送波の種別とは別の放送波の種別に対する番組リストを前記表示部に表示させることを特徴とする請求項１〜１０のいずれか１項に記載の映像表示装置。
【請求項１２】
前記制御部は、前記表示部に表示されている番組リストに対応する放送波の種別とは別の放送波の種別を示す放送波切り替え情報を該表示部に前記番組リストの左右の位置に表示させることを特徴とする請求項１１に記載の映像表示装置。
【請求項１３】
第１のチャンネルを選局する第１のチューナー部と、第２のチャンネルを選局する第２のチューナー部と、をさらに備え、前記表示部に前記番組リストが表示され、前記第１のチューナー部により選局された第１のチャンネルに対応する番組が前記表示部に表示されている間に、前記第２のチューナー部は、前記第２のチャンネルを選局し、前記制御部は、前記ジョグダイヤルの回転操作により前記第２のチャンネルに対応する番組が選択された場合に、前記第２のチャンネルに対応する番組の映像を前記表示部に表示させることを特徴とする請求項１〜１２のいずれか１項に記載の映像表示装置。
【請求項１４】
第１のチャンネルを選局する第１のチューナー部と、第２のチャンネルを選局する第２のチューナー部と、をさらに備え、前記表示部に前記番組リストが表示され、前記第１のチューナー部により選局された第１のチャンネルに対応する番組が前記表示部に表示されている間に、前記第２のチューナー部は、前記第２のチャンネルを選局し、前記制御部は、前記第２のチューナー部により選局された第２のチャンネルの番組の映像から静止画像を抽出し、前記ジョグダイヤルの回転操作により前記第２のチャンネルに対応する番組が選択された場合に、前記静止画像を前記表示部に表示させることを特徴とする請求項１〜１２のいずれか１項に記載の映像表示装置。
【請求項１５】
前記操作検出部は、前記ジョグダイヤルの回転速度を検出し、前記制御部は、前記操作検出部により検出された前記回転速度に応じて、前記表示部に表示させる番組項目の数を変更することを特徴とする請求項１〜１４のいずれか１項に記載の映像表示装置。
【請求項１６】
前記操作検出部は、前記リモートコントロール装置を操作する者の操作能力に関する情報に応じて前記ジョグダイヤルの回転量の出力値を調整し、該調整後の出力値に基づいて前記回転操作を検出することを特徴とする請求項１〜１５のいずれか１項に記載の映像表示装置。
【請求項１７】
前記操作検出部は、前記リモートコントロール装置の形態および／または大きさに応じて前記ジョグダイヤルの回転量の出力値を調整し、該調整後の出力値に基づいて前記回転操作を検出することを特徴とする請求項１〜１５のいずれか１項に記載の映像表示装置。
【請求項１８】
各チャンネルに対応するチャンネル選択ボタンを有さないリモートコントロール装置を用いて選択された番組の映像を表示する映像表示方法であって、
リモートコントロール装置に備えられたジョグダイヤルの回転操作を検出する操作検出ステップと、
前記操作検出ステップにおいて前記番組の映像を表示する表示部の画面全体に前記番組の映像が表示されている間に前記回転操作が検出された場合に、前記番組の映像を前記表示部に表示させつつ、それぞれ異なる番組に対応付けられた複数の番組項目を含む番組リストを前記表示部に表示させる番組リスト表示ステップと、
前記ジョグダイヤルの回転操作により前記番組リストを用いて選択された番組の映像を前記表示部に表示させる映像表示ステップと、
を含むことを特徴とする映像表示方法。
【請求項１９】
番組の映像を表示する映像表示方法であって、
リモートコントロール装置に備えられたジョグダイヤルの回転操作を検出する操作検出ステップと、
前記操作検出ステップにおいて前記番組の映像を表示する表示部の画面全体に前記番組の映像が表示されている間に前記回転操作が検出された場合に、前記番組の映像を前記表示部に表示させつつ、それぞれ異なる番組に対応付けられた複数の番組項目を含む番組リストを前記表示部に表示させる番組リスト表示ステップと、
を含み、
前記番組リストに含まれる番組項目は、前記映像を受信可能な番組のうちの一部の番組の番組項目であり、前記番組リスト表示ステップでは、該一部の番組と、該一部の番組以外の番組がそれぞれ異なる位置に対応付けられた番組探索図形を前記表示部に表示させ、該番組探索図形を用いて番組が探索された場合に、探索された該番組を含む番組リストを前記表示部に表示させることを特徴とする映像表示方法。
【手続補正２】
【補正対象書類名】明細書
【補正対象項目名】００１１
【補正方法】変更
【補正の内容】
【００１１】
上記課題を解決する為に、本発明の第１の技術手段は、各チャンネルに対応するチャンネル選択ボタンを有さないリモートコントロール装置を用いて選択された番組の映像を表示する映像表示装置であって、前記番組の映像を表示する表示部と、リモートコントロール装置に備えられたジョグダイヤルの回転操作を検出する操作検出部と、前記表示部の画面全体に前記番組の映像が表示されている間に前記操作検出部により前記回転操作が検出された場合に、前記番組の映像を前記表示部に表示させつつ、それぞれ異なる番組に対応付けられた複数の番組項目を含む番組リストを前記表示部に表示させる制御部を備え、該制御部は、前記ジョグダイヤルの回転操作により前記番組リストを用いて選択された番組の映像を前記表示部に表示させることを特徴とする。ここで、番組リストとともに番組の映像を表示する際、重複しないように番組の映像を縮小するようにしてもよい。そうすると、番組の映像が隠れることなく番組リストを表示できるので好適である。また、番組リストとともに番組の映像を表示する際、番組の映像を縮小することなく、番組リストを番組の映像上に重畳させてもよい。そうすると、番組の映像を縮小することによる見えにくさを防ぐことができ、視力の悪いユーザにとって好適である。
【手続補正３】
【補正対象書類名】明細書
【補正対象項目名】００１２
【補正方法】変更
【補正の内容】
【００１２】
第２の技術手段は、第１の技術手段において、前記番組リストに含まれる番組項目は、前記映像を受信可能な番組のうちの一部の番組の番組項目であり、前記制御部は、該一部の番組と、該一部の番組以外の番組がそれぞれ異なる位置に対応付けられた番組探索図形を前記表示部に表示させ、該番組探索図形を用いて番組が探索された場合に、探索された該番組を含む番組リストを前記表示部に表示させることを特徴とする。
【手続補正４】
【補正対象書類名】明細書
【補正対象項目名】００１３
【補正方法】変更
【補正の内容】
【００１３】
本発明の第３の技術手段は、第２の技術手段において、前記制御部は、前記一部の番組と、該一部の番組以外の番組の総数が所定数以上である場合に、前記番組探索図形を前記表示部に表示させることを特徴とする。
【手続補正５】
【補正対象書類名】明細書
【補正対象項目名】００１４
【補正方法】変更
【補正の内容】
【００１４】
本発明の第４の技術手段は、第２または第３の技術手段において、前記制御部は、前記操作検出部により、前記回転操作が所定の時間以上行われたことが検出された場合に、前記番組探索図形を前記表示部に表示させることを特徴とする。
【手続補正６】
【補正対象書類名】明細書
【補正対象項目名】００１５
【補正方法】変更
【補正の内容】
【００１５】
本発明の第５の技術手段は、第２〜第４のいずれか１つの技術手段において、前記制御部は、前記番組の映像および前記番組リストとともに、前記番組探索図形を前記表示部に表示させることを特徴とする。
【手続補正７】
【補正対象書類名】明細書
【補正対象項目名】００１６
【補正方法】変更
【補正の内容】
【００１６】
本発明の第６の技術手段は、番組の映像を表示する映像表示装置であって、前記番組の映像を表示する表示部と、リモートコントロール装置に備えられたジョグダイヤルの回転操作を検出する操作検出部と、前記表示部の画面全体に前記番組の映像が表示されている間に前記操作検出部により前記回転操作が検出された場合に、前記番組の映像を前記表示部に表示させつつ、それぞれ異なる番組に対応付けられた複数の番組項目を含む番組リストを前記表示部に表示させる制御部を備え、前記番組リストに含まれる番組項目は、前記映像を受信可能な番組のうちの一部の番組の番組項目であり、前記制御部は、該一部の番組と、該一部の番組以外の番組がそれぞれ異なる位置に対応付けられた番組探索図形を前記表示部に表示させ、該番組探索図形を用いて番組が探索された場合に、探索された該番組を含む番組リストを前記表示部に表示させることを特徴とする。
【手続補正８】
【補正対象書類名】明細書
【補正対象項目名】００１７
【補正方法】変更
【補正の内容】
【００１７】
本発明の第７の技術手段は、第６の技術手段において、前記制御部は、前記ジョグダイヤルの回転操作により前記番組リストを用いて選択された番組の映像を前記表示部に表示させることを特徴とする。
【手続補正９】
【補正対象書類名】明細書
【補正対象項目名】００１８
【補正方法】変更
【補正の内容】
【００１８】
本発明の第８の技術手段は、第１〜第７のいずれか１つの技術手段において、前記制御部は、前記番組リストにおいて、前記ジョグダイヤルの回転操作により選択された番組に対応する番組項目を、他の番組に対応する番組項目とは異なる表示形態で前記表示部に表示させることを特徴とする。
【手続補正１０】
【補正対象書類名】明細書
【補正対象項目名】００１９
【補正方法】変更
【補正の内容】
【００１９】
本発明の第９の技術手段は、第１〜第８のいずれか１つの技術手段において、前記制御部は、前記ジョグダイヤルの回転操作により１つの番組が選択された状態で、前記リモートコントロール装置の所定のボタンが押下された場合に、選択された前記番組の映像を前記表示部に表示させることを特徴とする。
【手続補正１１】
【補正対象書類名】明細書
【補正対象項目名】００２０
【補正方法】変更
【補正の内容】
【００２０】
本発明の第１０の技術手段は、第１〜第８のいずれか１つの技術手段において、前記制御部は、前記ジョグダイヤルの回転操作により１つの番組が選択された状態で所定の時間が経過した場合に、選択された前記番組の映像を前記表示部に表示させることを特徴とする。
【手続補正１２】
【補正対象書類名】明細書
【補正対象項目名】００２１
【補正方法】変更
【補正の内容】
【００２１】
本発明の第１１の技術手段は、第１〜第１０のいずれか１つの技術手段において、前記操作検出部は、前記ジョグダイヤルの左右いずれかに対する押下操作をさらに検出し、前記制御部は、前記番組リストが前記表示部に表示されている状態で、前記ジョグダイヤルの左右いずれかが押下された場合に、該表示部に表示されている番組リストに対応する放送波の種別とは別の放送波の種別に対する番組リストを前記表示部に表示させることを特徴とする。
【手続補正１３】
【補正対象書類名】明細書
【補正対象項目名】００２２
【補正方法】変更
【補正の内容】
【００２２】
本発明の第１２の技術手段は、第１１の技術手段において、前記制御部は、前記表示部に表示されている番組リストに対応する放送波の種別とは別の放送波の種別を示す放送波切り替え情報を該表示部に前記番組リストの左右の位置に表示させることを特徴とする。
【手続補正１４】
【補正対象書類名】明細書
【補正対象項目名】００２３
【補正方法】変更
【補正の内容】
【００２３】
本発明の第１３の技術手段は、第１〜第１２のいずれか１つの技術手段において、第１のチャンネルを選局する第１のチューナー部と、第２のチャンネルを選局する第２のチューナー部と、をさらに備え、前記表示部に前記番組リストが表示され、前記第１のチューナー部により選局された第１のチャンネルに対応する番組が前記表示部に表示されている間に、前記第２のチューナー部は、前記第２のチャンネルを選局し、前記制御部は、前記ジョグダイヤルの回転操作により前記第２のチャンネルに対応する番組が選択された場合に、前記第２のチャンネルに対応する番組の映像を前記表示部に表示させることを特徴とする。
【手続補正１５】
【補正対象書類名】明細書
【補正対象項目名】００２４
【補正方法】変更
【補正の内容】
【００２４】
本発明の第１４の技術手段は、第１〜第１２のいずれか１つの技術手段において、第１のチャンネルを選局する第１のチューナー部と、第２のチャンネルを選局する第２のチューナー部と、をさらに備え、前記表示部に前記番組リストが表示され、前記第１のチューナー部により選局された第１のチャンネルに対応する番組が前記表示部に表示されている間に、前記第２のチューナー部は、前記第２のチャンネルを選局し、前記制御部は、前記第２のチューナー部により選局された第２のチャンネルの番組の映像から静止画像を抽出し、前記ジョグダイヤルの回転操作により前記第２のチャンネルに対応する番組が選択された場合に、前記静止画像を前記表示部に表示させることを特徴とする。
【手続補正１６】
【補正対象書類名】明細書
【補正対象項目名】００２５
【補正方法】変更
【補正の内容】
【００２５】
本発明の第１５の技術手段は、第１〜第１４のいずれか１つの技術手段において、前記操作検出部は、前記ジョグダイヤルの回転速度を検出し、前記制御部は、前記操作検出部により検出された前記回転速度に応じて、前記表示部に表示させる番組項目の数を変更することを特徴とする。
【手続補正１７】
【補正対象書類名】明細書
【補正対象項目名】００２６
【補正方法】変更
【補正の内容】
【００２６】
本発明の第１６の技術手段は、第１〜第１５のいずれか１つの技術手段において、前記操作検出部は、前記リモートコントロール装置を操作する者の操作能力に関する情報に応じて前記ジョグダイヤルの回転量の出力値を調整し、該調整後の出力値に基づいて前記回転操作を検出することを特徴とする。
また、本発明の第１７の技術手段は、第１〜第１５のいずれか１つの技術手段において、前記操作検出部は、前記リモートコントロール装置の形態および／または大きさに応じて前記ジョグダイヤルの回転量の出力値を調整し、該調整後の出力値に基づいて前記回転操作を検出することを特徴とする。
【手続補正１８】
【補正対象書類名】明細書
【補正対象項目名】００２７
【補正方法】変更
【補正の内容】
【００２７】
本発明の第１８の技術手段は、各チャンネルに対応するチャンネル選択ボタンを有さないリモートコントロール装置を用いて選択された番組の映像を表示する映像表示方法であって、リモートコントロール装置に備えられたジョグダイヤルの回転操作を検出する操作検出ステップと、前記操作検出ステップにおいて前記番組の映像を表示する表示部の画面全体に前記番組の映像が表示されている間に前記回転操作が検出された場合に、前記番組の映像を前記表示部に表示させつつ、それぞれ異なる番組に対応付けられた複数の番組項目を含む番組リストを前記表示部に表示させる番組リスト表示ステップと、前記ジョグダイヤルの回転操作により前記番組リストを用いて選択された番組の映像を前記表示部に表示させる映像表示ステップと、を含むことを特徴とする。
また、本発明の第１９の技術手段は、番組の映像を表示する映像表示方法であって、リモートコントロール装置に備えられたジョグダイヤルの回転操作を検出する操作検出ステップと、前記操作検出ステップにおいて前記番組の映像を表示する表示部の画面全体に前記番組の映像が表示されている間に前記回転操作が検出された場合に、前記番組の映像を前記表示部に表示させつつ、それぞれ異なる番組に対応付けられた複数の番組項目を含む番組リストを前記表示部に表示させる番組リスト表示ステップと、を含み、前記番組リストに含まれる番組項目は、前記映像を受信可能な番組のうちの一部の番組の番組項目であり、前記番組リスト表示ステップでは、該一部の番組と、該一部の番組以外の番組がそれぞれ異なる位置に対応付けられた番組探索図形を前記表示部に表示させ、該番組探索図形を用いて番組が探索された場合に、探索された該番組を含む番組リストを前記表示部に表示させることを特徴とする。